(57)【要約】  端末（１０５０）は、機器（１０００）から照射され、少なくとも１つの基地局（４７０）の識別子（ＳＳＩＤ）を含む光信号を受光する受光部（１５１）と、受光した光信号の受信処理を行うことにより受信データを出力する受信部（１５３）と、受信データに含まれる少なくとも１つの基地局の識別子に基づいて、１つの基地局を選択するデータ解析部（１５５）と、選択された基地局（４７０）の識別子を用いて当該基地局（４７０）と無線接続し、無線により通信を行う無線装置（４５３）と、を具備する。
2018110274.tif 000002
【特許請求の範囲】
【請求項１】
送信機から照射され、少なくとも１つの基地局の識別子を含む光信号を受光する受光機と、
前記受光した光信号に含まれる前記少なくとも１つの基地局の識別子に基づいて、１つの基地局を選択するデータ解析回路と、
前記選択された基地局の前記識別子を用いて当該基地局と無線接続し、無線により通信を行う無線装置と、
を具備する端末。
【請求項２】
前記基地局はサービスのクラス毎に対応付けられ、
前記クラスが高いほど、当該クラスに対応付けられた前記基地局は最大伝送速度がより速い無線通信方式に対応し、
前記受光機は、第１のクラスのエリアに存在する前記送信機から、前記第１のクラスに対応付けられた第１の基地局の前記識別子を含む前記光信号を受光し、
前記無線装置は、前記光信号に含まれる前記識別子を用いて前記第１の基地局と無線接続し、
前記第１の基地局が対応する第１の無線通信方式は、前記第１のクラスよりも下位の第２のクラスに対応付けられた第２の基地局が対応する第２の無線通信方式を含む、
請求項１に記載の端末。
【請求項３】
前記基地局はサービスのクラス毎に対応付けられ、
前記クラスが高いほど、当該クラスに対応付けられた前記基地局は最大伝送速度がより速い無線通信方式に対応し、
前記受光機は、第１のクラスのエリアに存在する前記送信機から、前記第１のクラスに対応付けられた第１の基地局の第１の識別子、および、前記第１のクラスよりも下位の第２のクラスに対応付けられた第２の基地局の第２の識別子を含む前記光信号を受光し、
前記無線装置は、前記光信号に含まれる前記第１の識別子および前記第２の識別子のうち何れか１つを用いて前記基地局と無線接続する、
請求項１に記載の端末。
【請求項４】
前記光信号に含まれる前記第１の識別子および前記第２の識別子を表示する表示回路、をさらに具備する、
請求項３に記載の端末。
【請求項５】
前記光信号に含まれる前記第１の識別子および前記第２の識別子を有する前記第１の基地局および前記第２の基地局が対応する無線通信方式をそれぞれ表示する表示回路、をさらに具備する、
請求項３に記載の端末。
【請求項６】
前記基地局はサービスのクラス毎に対応付けられ、
前記端末が無線接続した前記基地局に対応付けられた前記クラスが高いほど、前記端末がアクセス可能なネットワークの範囲がより広い、
請求項１に記載の端末。
【請求項７】
前記送信機及び前記基地局は航空機内に設置され、
第１のクラスに対応付けられた第１の基地局と無線接続する前記端末は、前記航空機内のネットワーク、および、前記航空機の外部のネットワークにアクセス可能であり、
前記第１のクラスよりも下位の第２のクラスに対応付けられた第２の基地局と無線接続する前記端末は、前記航空機内のネットワークにアクセス可能であり、前記外部のネットワークにアクセスできない、
請求項６に記載の端末。
【請求項８】
送信機から照射され、少なくとも１つの基地局の識別子を含む光信号を受光し、
前記受光した光信号に含まれる前記少なくとも１つの基地局の識別子に基づいて、１つの基地局を選択し、
前記選択された基地局の前記識別子を用いて当該基地局と無線接続し、無線により通信を行う、
通信方法。
【発明の詳細な説明】
【技術分野】
【０００１】
本開示は、端末及び通信方法に関する。
【背景技術】
【０００２】
端末が端末自身の場所などの情報を取得する方法として、ＧＰＳ（Global Positioning system）を用いる方法がある。ＧＰＳを用いる方法では、端末が衛星から送信された変調信号を受信し、測位計算を行うことで自身の場所を推定する。しかし、衛星が送信した電波を端末が受信することが困難である場合（例えば、屋内）、端末が自身の場所を推定することが困難となる。【０００３】
このような場合に端末が自身の場所を推定する方法として、例えば、非特許文献１に開示されているように、端末が無線LAN（Local Area Network）のアクセスポイント（ＡＰ（access point））から送信された電波を用いて、自身の場所などの情報を推定する方法がある。
【先行技術文献】
【非特許文献】
【０００４】
【非特許文献１】“NGP use case document,” IEEE802.11-16/0137r4,March 2016.
【発明の概要】
【０００５】
しかしながら、端末が安全にアクセスできるアクセスポイントのＳＳＩＤ（service set identifier）を知ることは簡単ではない。このため、端末が自身の場所などの情報を得ようとした際、安全ではないＳＳＩＤを持つアクセスポイントに接続する可能性があり、情報漏えいなどの脅威がある。
【０００６】
本開示の一態様は、端末が情報を安全に入手することができる端末及び通信方法の提供に資する。
【０００７】
本開示の一態様に係る端末は、送信機から照射され、少なくとも１つの基地局の識別子を含む光信号を受光する受光機と、前記受光した光信号に含まれる前記少なくとも１つの基地局の識別子に基づいて、１つの基地局を選択するデータ解析回路と、前記選択された基地局の前記識別子を用いて当該基地局と無線接続し、無線により通信を行う無線装置と、を具備する。
【０００８】
本開示の一態様に係る通信方法は、送信機から照射され、少なくとも１つの基地局の識別子を含む光信号を受光し、前記受光した光信号に含まれる前記少なくとも１つの基地局の識別子に基づいて、１つの基地局を選択し、前記選択された基地局の前記識別子を用いて当該基地局と無線接続し、無線により通信を行う。
【０００９】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１０】
本開示の一態様によれば、端末が情報を安全に入手することができる。
【００１１】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】ラインスキャンサンプリングの原理の説明に供する図
【図２】露光時間が長い場合の撮像画像の一例を示す図
【図３】露光時間が短い場合の撮像画像の一例を示す図
【図４Ａ】４ＰＰＭの説明に供する図
【図４Ｂ】マンチェスタ符号方式の説明に供する図
【図５】可視光通信システムの構成例を示す図
【図６】実施の形態１に係る通信システムの構成例を示す図
【図７】実施の形態１に係るフレーム構成例を示す図
【図８】実施の形態２に係る機器と端末との位置関係を示す図
【図９】実施の形態３に係る通信システムの構成例を示す図
【図１０】実施の形態３に係る表示部の表示例を示す図
【図１１】実施の形態３に係る第１の機器が送信する変調信号のフレーム構成例を示す図
【図１２】実施の形態３に係る基地局が送信する変調信号のフレーム構成例を示す図
【図１３】実施の形態３に係る通信システムにおける処理例を示すフローチャート
【図１４】実施の形態３に係る表示部の表示例を示す図
【図１５】実施の形態４に係る通信システムの構成例を示す図
【図１６】実施の形態４に係る第１の機器が送信する変調信号のフレーム構成例を示す図
【図１７】実施の形態４に係る端末の無線装置が送信する変調信号のフレーム構成例を示す図
【図１８】実施の形態４に係る通信システムにおける処理例を示すフローチャート
【図１９】実施の形態５に係る通信システムの構成例を示す図
【図２０】実施の形態５に係る第３の機器が送信する、ＳＳＩＤを含む変調信号のフレーム構成例を示す図
【図２１】実施の形態５に係る第３の機器が送信する、暗号鍵を含む変調信号のフレーム構成例を示す図
【図２２】実施の形態５に係る通信システムにおける処理例を示すフローチャート
【図２３】実施の形態５に係る通信システムにおける他の処理例を示すフローチャート
【図２４】実施の形態５に係る通信システムを配置する空間の一例を示す図
【図２５】実施の形態６に係る通信システムの構成例を示す図
【図２６】実施の形態６に係る通信システムにおける処理例を示すフローチャート
【図２７】実施の形態７に係る通信システムの構成例を示す図
【図２８】実施の形態７に係る第５の機器が送信する変調信号のフレーム構成例を示す図
【図２９】実施の形態７に係る第５の機器が送信する変調信号のフレーム構成例を示す図
【図３０】実施の形態７に係る第５の機器が送信する変調信号のフレーム構成例を示す図
【図３１】実施の形態７に係る第５の機器によるフレームの送信方法の一例を示す図
【図３２】実施の形態７に係る通信システムを配置する空間の一例を示す図
【図３３】実施の形態７に係る通信システムにおける処理例を示すフローチャート
【図３４】実施の形態８に係るＡＰ接続方法の例を示す図（適用例１）
【図３５】実施の形態８に係るＡＰ接続方法の例を示す図（適用例２）
【図３６Ａ】実施の形態８に係る端末の表示部の表示例を示す図
【図３６Ｂ】実施の形態８に係る端末の表示部の他の表示例を示す図
【図３７】実施の形態８に係る航空機内の通信システムおよび外部のネットワークの構成例を示す図
【図３８】可視光通信を行う他の通信システムの構成例を示す図
【発明を実施するための形態】
【００１３】
以下、本開示の実施の形態について図面を参照して詳細に説明する。
【００１４】
［可視光通信の変復調方法］
本実施の形態では、変調信号を可視光信号として送受信する可視光通信方式を用いる。
【００１５】
まず、可視光通信方式の概要について具体的に説明する。
【００１６】
＜ラインスキャンサンプリング＞
スマートフォンまたはデジタルカメラなどには、ＣＭＯＳ（Complementary Metal Oxide Semiconductor）センサなどのイメージセンサが搭載されている。ＣＭＯＳセンサで撮像された画像は、全体が厳密に同じ時刻の風景を写しているわけではなく、１ライン毎にセンサが受光した光の量を読み出す。そのため、読み出しに要する時間を見計らって、１ライン毎に時間差をおいて受光の開始、終了の制御が行われる。つまり、ＣＭＯＳセンサで撮像された画像は、少しずつタイムラグのある多数のラインを重ねた形になる。
【００１７】
本実施の形態で用いる可視光通信方式は、このＣＭＯＳセンサの性質に着目した方式であり、可視光信号受信の高速化を実現している。すなわち、可視光通信方式では、ライン毎に露光時間が微妙に異なることを利用することで、図１に示すように、１枚の画像（イメージセンサの撮像画像）から、複数の時点における光源の輝度、色をライン毎に測定することができ、フレームレートよりも高速に変調された信号を捉えることができる。
【００１８】
以下では、このサンプリング手法を「ラインスキャンサンプリング」と呼び、同じタイミングで露光される１列の画素を「露光ライン」と呼ぶ。
【００１９】
ただし、カメラ機能（動画または静止画の撮影機能）における撮像時の撮像設定では、高速で点滅する光源を撮影しても、点滅が露光ラインに沿った縞模様として現れることはない。なぜなら、この設定では、露光時間が光源の点滅周期よりも非常に長いため、図２に示すように、光源の点滅（発光パターン）による輝度の変化が均一化されて露光ライン間の画素値の変化は極めて小さくなり、ほぼ一様な画像になるからである。
【００２０】
これに対して、図３に示すように、露光時間を光源の点滅周期程度に設定することで、光源の点滅の状態（発光パターン）を露光ラインの輝度変化として観測することができる。
【００２１】
例えば、露光ラインは、イメージセンサの長辺方向に平行になるように設計される。この場合、一例として、フレームレートを３０ｆｐｓ（frames per second）とすると、１９２０×１０８０のサイズの解像度では、毎秒３２４００以上のサンプルが得られ、３８４０×２１６０のサイズの解像度では、毎秒約６４８００以上のサンプルが得られる。
【００２２】
＜光源と変調方式＞
可視光通信では、例えば、ＬＥＤ（Light Emitting Diode）を送信機として利用することができる。ＬＥＤは、照明またはディスプレイのバックライト光源として普及しつつあり、高速に点滅させることが可能である。
【００２３】
ただし、可視光通信の送信機として利用する光源は、可視光通信のために自由に点滅させられるわけではない。可視光通信による点滅が人間に見えてしまうと、照明などの本来の光源の機能を損ねてしまう。そのため、送信信号は、人間の目にちらつきが感じられないよう、かつ、できるだけ明るく照らすようにすることが求められる。
【００２４】
この要求に応える変調方式として、例えば、４ＰＰＭ（4-Pulse Position Modulation）と呼ばれる変調方式がある。４ＰＰＭは、図４Ａに示すように、光源の明暗の４回の組み合わせによって２ビットを表現する方式である。また、４ＰＰＭは、図４Ａに示すように、４回のうち３回が明るい状態、１回が暗い状態となるため、信号の内容に依らず、明るさの平均（平均輝度）は３／４＝７５％となる。
【００２５】
比較のため、同様の方式として、図４Ｂに示すマンチェスタ符号方式がある。マンチェスタ符号方式は、２状態で１ビットを表現する方式であり、変調効率は４ＰＰＭと同じ５０％であるが、２回のうち１回が明るい状態、１回が暗い状態となるため、平均輝度は１／２＝５０％となる。すなわち、可視光通信の変調方式としては、４ＰＰＭの方がマンチェスタ符号方式よりも適しているといえる。
【００２６】
＜通信システムの全体構成例＞
図５に示すように、可視光通信を行う通信システムは、少なくとも、光信号を送信（照射）する送信機と、光信号を受信（受光）する受信機とを含む。例えば、送信機には、表示する映像またはコンテンツに応じて送信内容を変更する可変光送信機と、固定の送信内容を送信し続ける固定光送信機の２種類がある。
【００２７】
受信機は、送信機からの光信号を受信し、例えば、当該光信号に対応付けられた関連情報を取得してユーザへ提供することができる。
【００２８】
以上、可視光通信方式の概要について説明したが、以下の実施の形態で説明する光通信に適用可能な通信方式は上記の方式に限定されない。例えば、送信機の発光部は、複数の光源を用いて、データ送信を行ってもよい。また、受信装置の受信部は、ＣＭＯＳなどのイメージセンサではなく、例えば、フォトダイオードなどの光信号を電気信号に変換可能なデバイスを用いることができる通信方式であってもよい。この場合、上述したラインスキャンサンプリングを用いてサンプリングを行う必要はないため、毎秒３２４００以上のサンプリングが必要な方式であっても適用可能である。また、用途によっては、例えば、赤外線、紫外線のような可視光以外の周波数の無線を用いた通信方式を用いてもよい。
【００２９】
（実施の形態１）
図６は、本実施の形態のおける機器１００および端末１５０の構成の一例を示す。
【００３０】
［機器１００の構成］
機器１００（可視光通信の送信機に対応）は、ＬＥＤ（Light Emitting Diode）などの可視光源、照明、あるいはライト（総称して、光源ともいう）を具備する。なお、以下では、機器１００を「第１の機器」と呼ぶこともある。
【００３１】
図６の第１の機器１００において、送信部１０２は、例えば、場所に関する情報または位置に関する情報１０１を入力とする。また、送信部１０２は、時刻に関する情報１０５を入力としてもよい。また、送信部１０２は、場所に関する情報または位置に関する情報１０１と、時刻に関する情報１０５との両方を入力としてもよい。
【００３２】
送信部１０２は、場所に関する情報または位置に関する情報１０１、および／または、時刻に関する情報１０５を入力とし、これらの入力信号に基づいて、（光）変調信号１０３を生成し、変調信号１０３を出力する。そして、変調信号１０３は、例えば、光源１０４から送信される。
【００３３】
ここで、場所に関する情報または位置に関する情報１０１の例について説明する。
【００３４】
＜例１＞
場所に関する情報または位置に関する情報１０１は、場所・位置の緯度および／または経度の情報であってもよい。例えば、「北緯４５度、東経１３５度」という情報を、場所に関する情報または位置に関する情報１０１としてもよい。
【００３５】
＜例２＞
場所に関する情報または位置に関する情報１０１は、住所の情報であってもよい。例えば、「東京と千代田区○○町１−１−１」という情報を、場所に関する情報または位置に関する情報１０１としてもよい。
【００３６】
＜例３＞
場所に関する情報または位置に関する情報１０１は、建物、施設などの情報であってもよい。例えば、「東京タワー」という情報を、場所に関する情報または位置に関する情報１０１としてもよい。
【００３７】
＜例４＞
場所に関する情報または位置に関する情報１０１は、建物、施設などに設置したものの固有の場所・位置に関する情報であってもよい。
【００３８】
例えば、駐車場において５台分の自動車を停めることができるスペースがあるものとする。そのとき、第１の駐車スペースをＡ−１、第２の駐車スペースをＡ−２、第３の駐車スペースをＡ−３、第４の駐車スペースをＡ−４、第５の駐車スペースをＡ−５と呼ぶ。この場合、例えば、「Ａ−３」という情報を、場所に関する情報または位置に関する情報１０１としてもよい。
【００３９】
なお、このような例は、駐車場でのケースに限ったものではない。例えば、コンサート施設、野球・サッカー・テニスなどのスタジアム、飛行機、空港ラウンジ、鉄道、駅、などにある、「エリア・座席・店舗・施設など」に関する情報を、場所に関する情報または位置に関する情報１０１としてもよい。
【００４０】
以上、場所に関する情報または位置に関する情報１０１の例について説明した。なお、場所に関する情報または位置に関する情報１０１の構成方法については、上述の例に限ったものではない。
【００４１】
［端末１５０の構成］
図６の端末１５０（可視光通信の受信機に対応）は、第１の機器１００から送信された変調信号１０３を受信する。
【００４２】
受光部（受光機）１５１は、例えば、ＣＭＯＳ（Complementary Metal Oxide Semiconductor）、または、有機ＣＭＯＳなどのイメージセンサである。受光部１５１は、第１の機器１００から送信された変調信号を含む光を受光し、受信信号１５２を出力する。
【００４３】
なお、受光部１５１から出力される受信信号１５２は、イメージセンサで取得された画像、動画の情報を含んだ信号であってもよく、その他の光−電気変換を行う（光から電気信号に変換する）素子の出力信号であってもよい。以降の説明では、受光部１５１で行われる処理について特に説明することなく受信側の装置が変調信号を受信すると記載した場合、受信側の装置が受光部１５１で、変調信号を含んだ光から、光−電気変換を行う（光から電気信号に変換する）ことにより、「画像・動画の信号」と「情報を伝送するための変調信号」を取得することを意味する。ただし、上述した方法は受信側の装置が変調信号の受信する方法の一例であり、変調信号の受信方法はこれらに限定されない。
【００４４】
そして、受信部１５３は、受信信号１５２を入力とし、受信信号１５２に含まれる変調信号に対して復調、誤り訂正復号などの処理を行い、受信データ１５４を出力する。
【００４５】
データ解析部１５５は、受信データ１５４を入力とし、受信データ１５４を解析することにより、例えば、端末１５０の場所・位置を推定し、少なくとも端末１５０の場所・位置情報を含む情報１５６を出力する。
【００４６】
表示部１５７は、情報１５６を入力とし、情報１５６に含まれる端末１５０の場所・位置情報から、端末１５０の場所・位置に関する表示を行う。
【００４７】
［フレーム構成］
図７は、第１の機器１００が送信する変調信号のフレーム構成の一例を示す。
【００４８】
図７において、横軸は時間である。第１の機器１００は、例えば、プリアンブル２０１を送信し、その後、制御情報シンボル２０２、場所情報または位置情報に関するシンボル２０３、時刻情報に関するシンボル２０４を送信する。
【００４９】
プリアンブル２０１は、第１の機器１００が送信する変調信号を受信する端末１５０が、例えば、信号検出、時間同期、フレーム同期などを行うためのシンボルである。
【００５０】
制御情報シンボル２０２は、例えば、変調信号の構成方法、使用している誤り訂正符号化方式の方法、フレーム構成方法などのデータを含んでいるシンボルである。
【００５１】
場所情報または位置情報に関するシンボル２０３は、図６で示した場所に関する情報または位置に関する情報１０１を含んだシンボルである。
【００５２】
なお、フレームには、シンボル２０１、２０２、２０３以外のシンボルを含んでいてもよい。例えば、図７に示すように、時刻情報に関するシンボル２０４を含んでいてもよい。時刻情報に関するシンボル２０４は、例えば、第１の機器１００が変調信号を送信する時刻に関する情報１０５が含まれているものとする。なお、第１の機器１００が送信する変調信号のフレームの構成は、図７に限ったものではなく、また、変調信号に含まれるシンボルは図７の構成に限ったものではない。フレームには、他のデータ・情報を含むシンボルが含まれていてもよい。
【００５３】
［効果］
図６、図７で説明したように、第１の機器１００が変調信号を送信し、端末１５０がその変調信号を受信した際の効果について説明する。
【００５４】
第１の機器１００は、可視光により変調信号を送信しているため、この変調信号を受信することができる端末１５０は、第１の機器１００が存在している場所から大きく離れた場所にはいない。したがって、第１の機器１００が送信した場所・位置情報を端末１５０が得ることで、端末１５０は、高精度な位置情報を簡単に（複雑な信号処理を行わずに）得ることが可能である。
【００５５】
また、ＧＰＳからの衛星電波を受信しにくい場所に第１の機器１００を設置すれば、端末１５０は、ＧＰＳの衛星からの電波が受信しづらい状況でも、第１の機器１００が送信する変調信号を受信することで、高精度な位置情報を安全に入手することができる。
【００５６】
（実施の形態２）
本実施の形態では、実施の形態１で説明した第１の機器１００が複数台存在する場合について説明する。
【００５７】
本実施の形態では、例えば、図８のように、図６に示す第１の機器１００と同様の構成を持つ第１−１の機器３０１−１が変調信号を送信する。図６に示す端末１５０と同様の構成を持つ端末３０２は、第１−１の機器３０１−１が送信した変調信号を受信し、例えば、第１−１の場所・位置に関する情報、および、第１−１の時刻に関する情報を得る。
【００５８】
同様に、図６に示す第１の機器１００と同じ構成を持つ第１−２の機器３０１−２が変調信号を送信する。端末３０２は、第１−２の機器３０１−２が送信した変調信号を受信し、例えば、第１−２の場所・位置に関する情報、および、第１−２の時刻に関する情報を得る。
【００５９】
そして、端末３０２は、第１−１の場所・位置に関する情報、および、第１−２の場所・位置に関する情報から、図８における第１−１の機器３０１−１と第１−２の機器３０１−２との間の距離を算出することができる。また、端末３０２は、第１−１の時刻に関する情報と、例えば、端末３０２が第１−１の機器３０１−１が送信した変調信号を受信した時刻とに基づいて、端末３０２と第１−１の機器３０１−１との距離を算出することができる。同様に、端末３０２は、第１−２の時刻に関する情報と、例えば、端末３０２が第１−２の機器３０１−２が送信した変調信号を受信した時刻とに基づいて、端末３０２と第１−２の機器３０１−２との間の距離を算出することができる。
【００６０】
また、端末３０２は、第１−１の場所・位置に関する情報から、第１−１の機器３０１−１の位置が分かる。端末３０２は、第１−２の場所・位置に関する情報から、第１−２の機器３０１−２の位置が分かる。
【００６１】
また、端末３０２は、「第１−１の機器３０１−１と第１−２の機器３０１−２との間の距離」、「第１−１の機器３０１−１と端末３０２との間の距離」、「第１−２の機器３０１−２と端末３０２との間の距離」から、「第１−１の機器３０１−１と第１−２の機器３０１−２と端末３０２とが構成する三角形」が分かる。
【００６２】
したがって、端末３０２は、「第１−１の機器３０１−１の位置」、「第１−２の機器３０１−２の位置」、「第１−１の機器３０１−１と第１−２の機器３０１−２と端末３０２とが構成する三角形」から、端末３０２の位置を高精度に計算し、得ることができる。
【００６３】
ただし、端末３０２が、場所・位置情報を得るための測地測量方法は、上述の説明に限ったものではなく、どのような方法で測地測量を行ってもよい。例えば、測地測量方法の例としては、三角測量、多角測量、三辺測量、水準測量などがある。
【００６４】
以上のように、本実施の形態では、端末３０２が、場所情報を送信する光源を具備する複数の機器３０１から、上述のような情報を得ることで、端末３０２は、端末３０２の位置の推定を高精度に行うことができる。
【００６５】
また、本実施の形態では、実施の形態１で説明したように、ＧＰＳからの衛星電波を受信しにくい場所に、場所情報を送信する光源を具備する機器３０１を設置すると、端末３０２は、ＧＰＳの衛星からの電波が受信しづらい状況でも、機器３０１が送信する変調信号を受信することで、高精度な位置情報を安全に入手することができる。
【００６６】
なお、上述の例では、端末３０２が、２台の機器３０１が送信した変調信号を受信する例について説明しているが、端末３０２が、２台より多くの機器３０１が送信した変調信号を受信する場合でも同様に実施することができる。なお、機器３０１の台数が多いほど、端末３０２は位置情報を高精度に算出することができるという利点がある。
【００６７】
（実施の形態３）
図９は、本実施の形態のおける、機器４００、端末４５０、および、端末４５０と通信を行う基地局４７０（または、ＡＰ（access point））の構成の一例を示す。
【００６８】
機器４００は、例えば、ＬＥＤなどの可視光源、照明、光源、またはライトを具備する。なお、以下では、機器４００を「第１の機器」と呼ぶこともある。
【００６９】
なお、図９に示す第１の機器４００において、図６に示す第１の機器１００と同様に動作する構成については、同一の符号を付している。また、図９に示す端末４５０において、図６に示す端末１５０と同様に動作する構成については同一の符号を付している。
【００７０】
図９の第１の機器４００において、送信部１０２は、例えば、場所に関する情報または位置に関する情報１０１、基地局４７０の識別子であるＳＳＩＤ（service set identifier）に関する情報４０１−１、アクセス先に関する情報４０１−２を入力とする。また、送信部１０２は、時刻に関する情報１０５を入力としてもよい。
【００７１】
送信部１０２は、場所に関する情報または位置に関する情報１０１、ＳＳＩＤに関する情報４０１−１、および、アクセス先に関する情報４０１−２、および／または、時刻に関する情報１０５を入力とし、これらの入力信号に基づいて、（光）変調信号１０３を生成し、変調信号１０３を出力する。そして、変調信号１０３は、例えば、光源１０４から送信される。
【００７２】
なお、場所に関する情報または位置に関する情報１０１の例については、実施の形態１で説明したので、ここでは説明を省略する。
【００７３】
次に、ＳＳＩＤに関する情報４０１−１、および、アクセス先に関する情報４０１−２について説明する。
【００７４】
まず、ＳＳＩＤに関する情報４０１−１について説明する。
【００７５】
ＳＳＩＤに関する情報４０１−１は、図９における基地局４７０のＳＳＩＤを示す情報である。ここで、光信号により通知されるＳＳＩＤが安全な基地局のＳＳＩＤであることが判明している場合、第１の機器４００は、端末４５０に対して安全なアクセス先である基地局４７０へのアクセスを提供することができる。これにより、図９の端末４５０が、基地局４７０より、情報を安全に入手することができる。
【００７６】
一方、第１の機器４００は、基地局４７０に対してアクセスする端末を、第１の機器４００が送信（照射）した光信号を受信可能な空間に位置する端末に制限することができる。
【００７７】
なお、端末４５０は、予め定められた方式で送信された光信号を受信した場合に、通知されたＳＳＩＤが安全な基地局のＳＳＩＤであると判別してもよい。また、端末４５０は、通知されたＳＳＩＤが安全であるか否かを判別する処理を別途実施してもよい。例えば、第１の機器４００が所定の識別子を光信号に含めて送信し、端末４５０は、受信した識別子に基づいて、通知されたＳＳＩＤが安全な基地局のＳＳＩＤであるか否かを判断してもよい。また、端末４５０は、安全な基地局であるか否かを判断する処理を行わずに、可視光の特性を利用して、ユーザが安全性の高い第1の機器４００を選択して、端末４５０で第１の機器４００から光信号の受信を行い、安全性の高い基地局のＳＳＩＤを取得してもよい。
【００７８】
なお、図９では、基地局４７０のみを示しているが、例えば、基地局４７０以外の他の基地局（または、ＡＰ）が１つ以上存在する場合も、端末４５０は、第１の機器４００から取得したＳＳＩＤを用いて基地局４７０にアクセスし、情報を入手することになる。
【００７９】
次に、アクセス先に関する情報４０１−２について説明する。
【００８０】
アクセス先に関する情報４０１−２は、端末４５０が、基地局４７０にアクセスした後に、情報を入手するためのアクセス先に関する情報である。なお、本実施の形態の具体的な動作例については後述する。
【００８１】
以上、ＳＳＩＤに関する情報４０１−１、および、アクセス先に関する情報４０１−２について説明した。
【００８２】
端末４５０は、第１の機器４００から送信された変調信号１０３を受信する。
【００８３】
受光部１５１は、例えば、ＣＭＯＳ、または、有機ＣＭＯＳなどのイメージセンサである。受光部１５１は、第１の機器４００から送信された変調信号を含む光を受光し、受信信号１５２を出力する。
【００８４】
そして、受信部１５３は、受光部１５１で受信した受信信号１５２を入力とし、受信信号１５２に含まれる変調信号に対して復調・誤り訂正復号などの処理を行い、受信データ１５４を出力する。
【００８５】
データ解析部１５５は、受信データ１５４を入力とし、受信データ１５４から、例えば、端末４５０の場所・位置を推定する。そして、データ解析部１５５は、少なくとも端末４５０の場所・位置情報を含む情報１５６、ＳＳＩＤに関する情報４５１、および、アクセス先に関する情報４５２を出力する。
【００８６】
表示部１５７は、端末４５０の場所・位置情報を含む情報１５６、ＳＳＩＤに関する情報４５１、アクセス先に関する情報４５２を入力とし、例えば、端末４５０の場所・位置、端末４５０が具備する無線装置４５３がアクセスする通信相手のＳＳＩＤ、および／または、アクセス先を表示する（以下、この表示を「第１の表示」と呼ぶ）。
【００８７】
例えば、第１の表示後、無線装置４５３は、ＳＳＩＤに関する情報４５１、および、アクセス先に関する情報４５２を入力とする。そして、無線装置４５３は、ＳＳＩＤに関する情報４５１に基づいて、通信を行う相手先と、例えば、電波を利用することで接続する。なお、図９の場合、無線装置４５３は、基地局４７０と接続することになる。
【００８８】
そして、無線装置４５３は、アクセス先に関する情報４５２に基づいて、アクセス先に関する情報を含むデータから変調信号を生成し、この変調信号を、基地局４７０に対して、例えば、電波を用いて送信する。
【００８９】
図９において端末４５０の通信相手である基地局４７０は、端末４５０が具備する無線装置４５３が送信した変調信号を受信する。
【００９０】
そして、基地局４７０は、受信した変調信号の復調、誤り訂正復号などの処理を行い、端末４５０から送信されたアクセス先の情報を含む受信データ４７１を出力する。基地局４７０は、このアクセス先の情報に基づいて、ネットワークを介し、所望のアクセス先にアクセスするとともに、例えば、アクセス先から所望の情報４７２を得る。そして、基地局４７０は、所望の情報４７２を入力とし、所望の情報４７２から変調信号を生成し、この変調信号を、端末４５０（無線装置４５３）に対して、例えば、電波を用いて送信する。
【００９１】
端末４５０の無線装置４５３は、基地局４７０から送信された変調信号を受信し、復調・誤り訂正復号などの処理を行い、所望の情報４７２を得る。
【００９２】
例えば、所望の情報４７２が、地図、建物の地図・フロアガイド、施設の地図・フロアガイド、駐車場の地図・フロアガイド、コンサート施設・スタジアム・飛行機・空港ラウンジ・鉄道・駅などにある「エリア・座席・店舗・施設」の情報などであるとする。
【００９３】
表示部１５７は、所望の情報４７２を含む情報４５４、少なくとも端末４５０の場所・位置情報を含む情報１５６、ＳＳＩＤに関する情報４５１を入力とし、第１の表示後、所望の情報４７２と、少なくとも端末４５０の場所・位置情報を含む情報１５６とから、地図・フロアガイド・施設の情報・座席の情報・店舗の情報の表示上に、端末４５０の位置をマッピングした表示を行う。
【００９４】
図１０は、表示部１５７の具体的な表示の例である。
【００９５】
図１０の表示は「３階のフロア」であることを示している。そして、Ａ−１、Ａ−２、Ａ−３、Ａ−４、Ａ−２１、Ａ−２２、Ａ−２３、Ａ−２４は、車の駐車スペースの位置をそれぞれ示している。また、あ−１、あ−２は、エレベータの位置を示している。この駐車スペースおよびエレベータの位置を含む地図の情報が、所望の情報４５４（４７２）の一例である。
【００９６】
図１０に示すように、表示部１５７は、端末４５０の現在位置を、地図上にマッピングして表示している。なお、現在位置は、少なくとも端末４５０の場所・位置情報を含む情報１５６から得られる情報である。
【００９７】
図１１は、図９に示す第１の機器４００が送信する変調信号のフレーム構成の一例を示す。図１１において、横軸は時間である。また、図１１において、図７と同様の情報を伝送するシンボルについては、同一の符号を付しており、その説明を省略する。
【００９８】
第１の機器４００は、プリアンブル２０１、制御情報シンボル２０２、場所情報または位置情報に関するシンボル２０３、時刻情報に関するシンボル２０４に加え、ＳＳＩＤに関するシンボル６００−１、アクセス先に関するシンボル６００−２を送信する。
【００９９】
ＳＳＩＤに関するシンボル６００−１は、図９におけるＳＳＩＤに関する情報４０１−１を送信するためのシンボルであり、アクセス先に関するシンボル６００−２は、図９のアクセス先に関する情報４０１−２を送信するためのシンボルである。なお、図１１のフレームにおいて、図１１に記載しているシンボル以外のシンボルが含まれていてもよい。また、シンボルの送信する順番を含め、フレーム構成は、図１１の構成に限ったものではない。
【０１００】
図１２は、図９に示す基地局４７０が送信する変調信号のフレーム構成の一例を示す。図１２において、横軸は時間である。
【０１０１】
図１２に示すように、基地局４７０は、例えば、プリアンブル７０１を送信し、その後、制御情報シンボル７０２、情報シンボル７０３を送信する。
【０１０２】
プリアンブル７０１は、基地局４７０が送信する変調信号を受信する端末４５０が、例えば、信号検出、時間同期、フレーム同期、周波数同期、周波数オフセット推定などを行うためのシンボルである。
【０１０３】
制御情報シンボル７０２は、例えば、変調信号を生成するのに使用された、誤り訂正符号化方式の方法、変調方式に関する情報、フレーム構成に関する情報などのデータを含むシンボルである。端末４５０の無線装置４５３は、制御情報シンボル７０２の情報に基づいて、変調信号の復調などを実施する。
【０１０４】
情報シンボル７０３は、情報を伝送するためのシンボルである。なお、本実施の形態の場合、情報シンボル７０３は、上述で説明した所望の情報４７２を伝送するためのシンボルである。
【０１０５】
なお、図９に示す基地局４７０は、図１２に記載しているシンボル以外のシンボルを含むフレームを送信してもよい。例えば、基地局４７０は、情報シンボル７０３の途中でパイロットシンボル（リファレンスシンボル）が含まれるフレームなどを送信してもよい。また、シンボルの送信する順番を含め、フレーム構成は、図１２の構成に限ったものではない。また、図１２において、周波数軸方向に複数のシンボルが存在してもよい。つまり、図１２において、複数の周波数（複数のキャリア）にシンボルが存在してもよい。
【０１０６】
また、例えば、第１の機器４００が送信する図１１に示すフレーム構成の変調信号は、規則的なタイミングで、例えば、繰り返し、送信する方法が考えられる。これにより、複数の端末４００が、上述したような動作を実施することができる。
【０１０７】
図１３は、上述した、図９に示す「第１の機器４００」、「端末４５０」、「基地局４７０」が実施する処理の一例を示すフローチャートである。
【０１０８】
まず、第１の機器４００は、図１１に示すフレーム構成の変調信号を送信する（ＳＴ８０１）。
【０１０９】
そして、端末４５０は、第１の機器４００が送信した変調信号を受信し、端末４５０の場所・位置推定を行う（ＳＴ８０２）。
【０１１０】
併せて、端末４５０は、第１の機器４００が送信した変調信号を受信し、端末４５０がアクセスする基地局４７０のＳＳＩＤを把握する（ＳＴ８０３）。
【０１１１】
そして、端末４５０は、地図などの情報を入手するためのアクセス先に関する情報４５２を含むデータを含む変調信号を、例えば、電波を用いて、基地局４７０に送信する（ＳＴ８０４）。
【０１１２】
基地局４７０は、端末４５０が送信した変調信号を受信し、アクセス先の情報を得て、ネットワークを介して、所望のアクセス先にアクセスし、地図などの所望の情報（端末４５０に送信する情報）を得る（ＳＴ８０５）。
【０１１３】
そして、基地局４７０は、入手した地図などの所望の情報を含む変調信号を、例えば、電波を用いて、端末４５０に送信する（ＳＴ８０６）。
【０１１４】
端末４５０は、基地局４７０が送信した変調信号を受信し、地図などの情報を得る。そして、端末４５０は、地図などの情報と、既に得ている端末４５０の場所・位置の情報に基づいて、図１０のような表示を行う（ＳＴ８０７）。
【０１１５】
次に、図１０に示す場所に、複数の第１の機器４００、および、基地局４７０を設置した場合の動作例について説明する。
【０１１６】
図１４は、図１０と同様の場所の地図を記載している。すなわち、図１４は、図１０で説明したように「３階のフロア」の地図である。図１４において、Ａ−１、Ａ−２、Ａ−３、Ａ−４、Ａ−２１、Ａ−２２、Ａ−２３、Ａ−２４は、車の駐車スペースを示し、あー１、あー２はエレベータを示す。
【０１１７】
また、図１４の「○」９０１−１の位置に、図９に示す第１の機器４００と同様の構成を持つ第１の機器を設置する。以下では、９０１−１の位置に設置される第１の機器４００と同様の構成を持つ第１の機器を「第１−１の機器４００」と呼ぶ。第１−１の機器４００は、場所に関する情報または位置に関する情報として「Ａ−１」という情報を持ち、「Ａ−１」という情報を送信する。
【０１１８】
図１４の「○」９０１−２の位置に、図９の第１の機器４００と同様の構成を持つ第１の機器を設置する。以下では、９０１−２の位置に設置される第１の機器４００と同様の構成を持つ第１の機器を「第１−２の機器４００」と呼ぶ。第１−２の機器４００は、場所に関する情報または位置に関する情報として「Ａ−２」という情報を持ち、「Ａ−２」という情報を送信する。
【０１１９】
図１４の「○」９０１−３の位置に、図９の第１の機器４００と同様の構成を持つ第１の機器を設置する。以下では、９０１−３の位置に設置される第１の機器４００と同様の構成を持つ第１の機器を「第１−３の機器４００」と呼ぶ。第１−３の機器４００は、場所に関する情報または位置に関する情報として「Ａ−３」という情報を持ち、「Ａ−３」という情報を送信する。
【０１２０】
図１４の「○」９０１−４の位置に、図９の第１の機器４００と同様の構成を持つ第１の機器を設置する。以下では、９０１−４の位置に設置される第１の機器４００と同様の構成を持つ第１の機器を「第１−４の機器４００」と呼ぶ。第１−４の機器４００は、場所に関する情報または位置に関する情報として「Ａ−４」という情報を持ち、「Ａ−４」という情報を送信する。
【０１２１】
図１４の「○」９０１−２１の位置に、図９の第１の機器４００と同様の構成を持つ第１の機器を設置する。以下では、９０１−２１の位置に設置される第１の機器４００と同様の構成を持つ第１の機器を「第１−２１の機器４００」と呼ぶ。第１−２１の機器４００は、場所に関する情報または位置に関する情報として「Ａ−２１」という情報を持ち、「Ａ−２１」という情報を送信する。
【０１２２】
図１４の「○」９０１−２２の位置に、図９の第１の機器４００と同様の構成を持つ第１の機器を設置する。以下では、９０１−２２の位置に設置される第１の機器４００と同様の構成を持つ第１の機器を「第１−２２の機器４００」と呼ぶ。第１−２２の機器４００は、場所に関する情報または位置に関する情報として「Ａ−２２」という情報を持ち、「Ａ−２２」という情報を送信する。
【０１２３】
図１４の「○」９０１−２３の位置に、図９の第１の機器４００と同様の構成を持つ第１の機器を設置する。以下では、９０１−２３の位置に設置される第１の機器４００と同様の構成を持つ第１の機器を「第１−２３の機器４００」と呼ぶ。第１−２３の機器４００は、場所に関する情報または位置に関する情報として「Ａ−２３」という情報を持ち、「Ａ−２３」という情報を送信する。
【０１２４】
図１４の「○」９０１−２４の位置に、図９の第１の機器４００と同様の構成を持つ第１の機器を設置する。以下では、９０１−２４の位置に設置される第１の機器４００と同様の構成を持つ第１の機器を「第１−２４の機器４００」と呼ぶ。第１−２４の機器４００は、場所に関する情報または位置に関する情報として「Ａ−２４」という情報を持ち、「Ａ−２４」という情報を送信する。
【０１２５】
また、図１４の「◎」９０２の位置に、図９の基地局４７０と同様の構成を持つ基地局（または、ＡＰ）を設置する。以下では、図９の基地局４７０と同様の構成を持つ基地局（または、ＡＰ）を単に「基地局４７０」と呼ぶ。また、ここでは、９０２の位置に設置された基地局４７０のＳＳＩＤを「ａｂｃｄｅｆ」とする。
【０１２６】
図１４の地図で示されている位置周辺に存在する端末４５０は、無線通信を行う場合、図１４の９０２の位置に設置した基地局４７０にアクセスすればよい。
【０１２７】
したがって、図１４の９０１−１に設置されている「第１−１の機器４００」は、ＳＳＩＤに関する情報（図９の４０１−１参照）として「ａｂｃｄｅｆ」を送信する。
【０１２８】
同様に、図１４の９０１−２に設置されている「第１−２の機器４００」は、ＳＳＩＤに関する情報（図９の４０１−１参照）として「ａｂｃｄｅｆ」を送信する。
【０１２９】
図１４の９０１−３に設置されている「第１−３の機器４００」は、ＳＳＩＤに関する情報（図９の４０１−１参照）として「ａｂｃｄｅｆ」を送信する。
【０１３０】
図１４の９０１−４に設置されている「第１−４の機器４００」は、ＳＳＩＤに関する情報（図９の４０１−１参照）として「ａｂｃｄｅｆ」を送信する。
【０１３１】
図１４の９０１−２１に設置されている「第１−２１の機器４００」は、ＳＳＩＤに関する情報（図９の４０１−１参照）として「ａｂｃｄｅｆ」を送信する。
【０１３２】
図１４の９０１−２２に設置されている「第１−２２の機器４００」は、ＳＳＩＤに関する情報（図９の４０１−１参照）として「ａｂｃｄｅｆ」を送信する。
【０１３３】
図１４の９０１−２３に設置されている「第１−２３の機器４００」は、ＳＳＩＤに関する情報（図９の４０１−１参照）として「ａｂｃｄｅｆ」を送信する。
【０１３４】
図１４の９０１−２４に設置されている「第１−２４の機器４００」は、ＳＳＩＤに関する情報（図９の４０１−１参照）として「ａｂｃｄｅｆ」を送信する。
【０１３５】
以下、具体的な動作例を説明する。
【０１３６】
図１４の９０３−１の位置に図９の端末４５０と同様の構成を持つ端末（以下、単に「端末４５０」と呼ぶ）が存在するものとする。この場合、端末４５０は、図１４の９０１−４の位置にある「第１−４の機器４００」が送信した変調信号を受信し、「Ａ−４」という位置情報を得る。また、端末４５０は、図１４の９０１−４の位置にある「第１−４の機器４００」が送信した変調信号を受信し、「ａｂｃｄｅｆ」というＳＳＩＤの情報を得る。これにより、端末４５０は、図１４の９０２に位置する基地局４７０にアクセスすることになる。また、端末４５０は、図１４の９０２に位置する基地局４７０から、地図などの情報を得る。そして、端末４５０は、地図情報と位置情報を表示する（例えば、図１０参照。ただし、図１０はあくまでも表示の例である）。
【０１３７】
同様に、図１４の９０３−２の位置に図９の端末４５０と同様の構成を持つ端末（以下、単に「端末４５０」と呼ぶ）が存在するものとする。この場合、端末４５０は、図１４の９０１−２２の位置にある「第１の２２の機器４００」が送信した変調信号を受信し、「Ａ−２２」という位置情報を得る。また、端末４５０は、図１４の９０１−２２の位置にある「第１−４の機器４００」が送信した変調信号を受信し、「ａｂｃｄｅｆ」というＳＳＩＤの情報を得る。これにより、端末４５０は、図１４の９０２に位置する基地局４７０にアクセスすることになる。また、端末４５０は、図１４の９０２に位置する基地局４７０から、地図などの情報を得る。そして、端末４５０は、地図情報と位置情報を表示する（例えば、図１０参照。ただし、図１０はあくまでも表示の例である）。
【０１３８】
なお、端末４５０は、図１４のような地図（周辺情報）と位置情報を、端末４５０が具備する記憶部（図示せず）に記録し、端末４５０を使用するユーザが必要なときに、記憶部に記録されている情報を取り出せるようにしてもよい。これにより、ユーザはより便利に地図（周辺情報）と位置情報を活用することができる。
【０１３９】
以上のように、第１の機器４００は、可視光により変調信号を送信しているため、この変調信号を受信することができる端末４５０は、第１の機器４００の位置から光信号を受光できる範囲内に限定される。したがって、第１の機器４００が送信した場所・位置情報を端末４５０が受信することで、端末４５０は、高精度な位置情報を簡単に（複雑な信号処理をせずに）取得できる。
【０１４０】
また、ＧＰＳからの衛星電波を受信しにくい場所に第１の機器４００を設置すると、端末４５０は、ＧＰＳの衛星からの電波が受信しづらい状況でも、第１の機器４００が送信する変調信号を受信することで、高精度な位置情報を、安全に入手することができる。
【０１４１】
さらに、第１の機器４００から送信されたＳＳＩＤの情報に基づいて、端末４５０が、基地局（または、ＡＰ）４７０と接続して情報を得ることで、端末４５０は、情報を安全に入手することができる。なぜなら、端末４５０が可視光の変調信号から情報を得た場合、可視光であるが故に、ユーザは変調信号を送信した第１の機器４００を目視等により容易に認識することができ、情報元が安全かどうかの判断を行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０１４２】
なお、図９の端末４５０の無線装置４５３に、さらに複数の信号が入力されてもよい。例えば、無線装置４５３を制御するための制御信号、および、基地局４７０に送信する情報などが、無線装置４５３に入力されてもよい。このとき、無線装置４５３が制御信号に基づいて通信を開始するという動作が一例として考えられる。以上のように、本実施の形態では、第１の機器の構成は図９の第１の機器４００の構成に限ったものではなく、端末の構成は、図９の端末４５０の構成に限ったものではなく、基地局の接続先および構成についても図９に示した基地局４７０の接続先および構成に限定されない。
【０１４３】
また、図９において、基地局４７０が１つ配置されている場合について記載しているが、端末４５０がアクセス可能な（安全な）基地局（または、ＡＰ）が複数存在していてもよい。このとき、図９の第１の機器４００が送信するＳＳＩＤに関するシンボルには、これらの複数の基地局（または、ＡＰ）のそれぞれのＳＳＩＤを示す情報が含まれていてもよい。この場合、図９の端末４５０の表示部１５７には、アクセス先の表示（前述した「第１の表示」）として、複数の基地局のＳＳＩＤのリスト、および／または複数のアクセス先のリストが表示される。そして、図９の端末４５０は、複数の基地局（または、ＡＰ）のＳＳＩＤの情報に基づいて、実際に無線接続する１つ以上の基地局を選択してもよい（つまり、複数の基地局と同時に接続してもよい）。
【０１４４】
例えば、基地局４７０が３つ配置されるとする。ここでは、３つの基地局４７０をそれぞれ基地局＃Ａ、基地局＃Ｂ、基地局＃Ｃと呼ぶ。また、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とする。この場合、第１の機器４００が送信する変調信号の図１１に示すフレーム構成におけるＳＳＩＤに関するシンボル６００−１は、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」とする情報を含んでいる。そして、図９の端末４５０は、ＳＳＩＤに関するシンボル６００−１を受信し、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」の情報に基づいて、実際に無線接続する１つ以上の基地局４７０を選択する。
【０１４５】
（実施の形態４）
図１５は、本実施の形態における通信システムの構成の一例を示す図である。
【０１４６】
図１５の通信システムは、例えば、機器１０００、端末１０５０、および、端末１０５０と通信を行う基地局（または、ＡＰ）４７０を含む。
【０１４７】
機器１０００は、例えば、ＬＥＤなどの可視光源、照明、光源、ライト（以下、光源１０４という）を具備する。なお、以下では、機器１０００を本実施の形態における「第２の機器」と呼ぶこともある。
【０１４８】
なお、図１５に示す第２の機器１０００において、図６に示す第１の機器１００と同様に動作する構成要素については、同一の番号を付している。また、図１５に示す端末１０５０において、図６に示す端末１５０と同様に動作する構成要素については同一の番号を付している。また、図１５に示す端末１０５０の無線装置４５３と基地局４７０との間の通信は、例えば、電波を用いるものとする。
【０１４９】
図１５の第２の機器１０００において、送信部１０２は、ＳＳＩＤに関する情報１００１−１、暗号鍵に関する情報１００１−２、および、データ１００２を入力とし、これらの入力信号に基づいて、（光）変調信号１０３を生成し、変調信号１０３を出力する。そして、変調信号１０３は、例えば、光源１０４から送信される。
【０１５０】
次に、ＳＳＩＤに関する情報１００１−１、および、暗号鍵に関する情報１００１−２について説明する。
【０１５１】
まず、ＳＳＩＤに関する情報１００１−１について説明する。
【０１５２】
ＳＳＩＤに関する情報１００１−１は、図１５における基地局４７０のＳＳＩＤを示す情報である。なお、例として、基地局４７０は、端末１０５０への変調信号を電波で送信し、端末１０５からの変調信号を電波で受信する。つまり、第２の機器１０００は、端末１０５０に対して安全なアクセス先である基地局４７０へのアクセスを提供することができる。これにより、図１５の端末１０５０が、基地局４７０から、情報を安全に入手することができる。
【０１５３】
一方、第２の機器１０００は、基地局４７０に対してアクセスする端末を、第２の機器１０００が送信（照射）した光信号を受信可能な空間に位置する端末に制限することができる。
【０１５４】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、第２の機器１０００が所定の識別子を光信号に含めて送信し、端末１０５０は、受信した識別子に基づいて、通知されたＳＳＩＤが安全な基地局のＳＳＩＤであるか否かを判断してもよい。
【０１５５】
なお、図１５では、基地局４７０のみを示しているが、例えば、基地局４７０以外の基地局（または、ＡＰ）が存在する場合も、端末１０５０は、第２の機器１０００から取得したＳＳＩＤを用いて基地局４７０にアクセスし、情報を入手することになる。
【０１５６】
次に、暗号鍵に関する情報１００１−２について説明する。
【０１５７】
暗号鍵に関する情報１００１−２は、端末１０５０が基地局４７０と通信を行うために必要となる暗号鍵に関する情報である。端末１０５０は、第２の機器１０００から、暗号鍵に関する情報１００１−２を得ることで、基地局４７０との間で暗号化された通信を行うことが可能となる。
【０１５８】
以上、ＳＳＩＤに関する情報１００１−１、および、暗号鍵に関する情報１００１−２について説明した。
【０１５９】
図１５の端末１０５０は、第２の機器１０００が送信した変調信号を受信する。なお、図１５の端末１０５０において、図６の端末１５０、図９の端末４５０と同様に動作する構成要素については、同一の番号を付している。
【０１６０】
端末１０５０が具備する受光部１５１は、例えば、ＣＭＯＳ、または、有機ＣＭＯＳなどのイメージセンサである。受光部１５１は、第２の機器１０００から送信された変調信号を含む光を受光し、受信信号１５２を出力する。
【０１６１】
そして、受信部１５３は、受光部１５１で受信した受信信号１５２を入力とし、受信信号１５２に含まれる変調信号に対して復調・誤り訂正復号などの処理を行い、受信データ１５４を出力する。
【０１６２】
データ解析部１５５は、受信データ１５４を入力とし、受信データ１５４から、例えば、接続先となる基地局のＳＳＩＤの情報１０５１、および、接続先となる基地局と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０１６３】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０１６４】
例えば、第１の表示後、無線装置４５３は、ＳＳＩＤの情報１０５１、および、暗号鍵の情報１０５２を入力とし、基地局４７０との接続を確立する（例えば、接続は電波を利用するものとする）。このとき、基地局４７０も、端末１０５０が具備する無線装置４５３と通信を行う場合、変調信号を、例えば電波を用いて送信する。
【０１６５】
その後、無線装置４５３は、データ１０５３、および、制御信号１０５４を入力とし、制御信号１０５４に示される制御に従って、データ１０５３に対して変調を施し、変調信号を電波により送信する。
【０１６６】
そして、例えば、基地局４７０は、ネットワークに対して、データの送信（４７１）、およびネットワークからのデータの受信（４７２）を行う。その後、例えば、基地局４７０は、端末１０５０に対して、変調信号を電波により送信する。
【０１６７】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０１６８】
図１６は、図１５に示す第２の機器１０００が送信する変調信号のフレーム構成の一例を示している。図１６において、横軸は時間である。また、図１６において、図７、図１１と同様のシンボルについては、同一の番号を付しており、その説明を省略する。
【０１６９】
ＳＳＩＤに関するシンボル６００−１は、図１５のＳＳＩＤに関する情報１００１−１を送信するためのシンボルであり、暗号鍵に関するシンボル１１０１は、図１５の暗号鍵に関する情報１００１−２を送信するためのシンボルである。データシンボル１１０２は、図１５のデータ１００２を送信するためのシンボルである。
【０１７０】
第２の機器１０００は、プリアンブル２０１、制御情報シンボル２０２、ＳＳＩＤに関するシンボル６００−１、暗号鍵に関するシンボル１１０１、データシンボル１１０２を送信する。なお、第２の機器１０００は、図１６で記載しているシンボル以外のシンボルを含むフレームを送信してもよい。また、シンボルを送信する順番を含め、フレーム構成は図１６の構成に限ったものではない。
【０１７１】
図１７は、図１５の端末１０５０が具備する無線装置４５３が送信する変調信号のフレーム構成の一例を示している。図１７において、横軸は時間である。
【０１７２】
図１７に示すように、端末１０５０が具備する無線装置４５３は、例えば、プリアンブル１２０１を送信し、その後、制御情報シンボル１２０２、情報シンボル１２０３を送信する。
【０１７３】
プリアンブル１２０１は、端末１０５０の無線装置４５３が送信する変調信号を受信する基地局４７０が、例えば、信号検出、時間同期、フレーム同期、周波数同期、周波数オフセット推定などを行うために用いるシンボルである。
【０１７４】
制御情報シンボル１２０２は、例えば、変調信号を生成するのに使用した誤り訂正符号化方式の方法、変調方式に関する情報、フレーム構成に関する情報、送信方法に関する情報などのデータを含むシンボルである。基地局４７０は、制御情報シンボル１２０２に含まれる情報に基づいて、変調信号の復調などを実施する。
【０１７５】
情報シンボル１２０３は、端末１０５０の無線装置４５３がデータを伝送するためのシンボルである。
【０１７６】
なお、端末１０５０の無線装置４５３は、図１７に記載しているシンボル以外のシンボルを含むフレームを送信してもよい。例えば、無線装置４５３は、情報シンボル１２０３の途中でパイロットシンボル（リファレンスシンボル）が含まれるフレームを送信してもよい。また、シンボルを送信する順番を含め、フレーム構成は、図１７の構成に限ったものではない。また、図１７において、周波数軸方向に複数のシンボルが存在していてもよい。つまり、図１７において、複数の周波数（複数のキャリア）にシンボルが存在していてもよい。また、実施の形態３において、図９の端末４５０が具備する無線装置４５３が変調信号を送信する際、図１７のフレーム構成を用いてもよい。
【０１７７】
本実施の形態における基地局４７０が送信する変調信号のフレーム構成は、実施の形態３で説明した図１２のフレーム構成と同様である。すなわち、図１２に示すように、基地局４７０は、例えば、プリアンブル７０１を送信し、その後、制御情報シンボル７０２、情報シンボル７０３を送信する。
【０１７８】
プリアンブル７０１は、基地局４７０が送信する変調信号を受信する端末１０５０の無線装置４５３が、例えば、信号検出、時間同期、フレーム同期、周波数同期、周波数オフセット推定などを行うためのシンボルである。
【０１７９】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。端末１０５０の無線装置４５３は、制御情報シンボル７０２の情報に基づいて、変調信号の復調などを実施する。
【０１８０】
情報シンボル７０３は、基地局４７０がデータを伝送するためのシンボルである。
【０１８１】
なお、図１５に示す基地局４７０は、図１２に記載しているシンボル以外のシンボルを含むフレームを送信してもよい。例えば、基地局４７０は、情報シンボル７０３の途中でパイロットシンボル（リファレンスシンボル）が含まれるフレームなどを送信してもよい。また、シンボルを送信する順番を含め、フレーム構成は、図１２の構成に限ったものではない。また、図１２において、周波数軸方向に複数のシンボルが存在していてもよい。つまり、図１２において、複数の周波数（複数のキャリア）にシンボルが存在してもよい。
【０１８２】
また、例えば、第２の機器１０００が送信する図１６のフレーム構成の変調信号は、規則的なタイミングで、例えば、繰り返し、送信する方法が考えられる。これにより、複数の端末１０５０が、上述したような動作を実施することができる。
【０１８３】
図１８は、図１５に示す「第２の機器１０００」、「端末１０５０」、「基地局４７０」が実施する処理の一例を示すフローチャートである。
【０１８４】
まず、第２の機器１０００は、図１６に示すフレーム構成の変調信号を送信する（ＳＴ１３０１）。
【０１８５】
そして、端末１０５０は、第２の機器１０００が送信した変調信号を受信し、端末１０５０がアクセスする基地局４７０のＳＳＩＤを取得する（ＳＴ１３０２）。
【０１８６】
併せて、端末１０５０は、端末１０５０がアクセスする基地局４７０との通信に用いる暗号鍵を取得する（ＳＴ１３０３）。
【０１８７】
そして、端末１０５０は、基地局４７０との電波による接続を実施する（ＳＴ１３０４）。端末１０５０が基地局４７０の応答を受信することにより、基地局４７０との接続が完了する（ＳＴ１３０５）。
【０１８８】
そして、端末１０５０は、基地局４７０に対して、接続先の情報を電波を用いて送信する（ＳＴ１３０６）。
【０１８９】
基地局４７０は、ネットワークから、端末１０５０に送信するための情報を入手する（ＳＴ１３０７）。
【０１９０】
そして、基地局４７０は、入手した情報を端末１０５０に、電波を用いて送信し、端末１０５０は情報を得る（ＳＴ１３０８）。端末１０５０は、例えば、必要なとき、基地局４７０を介して、ネットワークから必要な情報を取得する。
【０１９１】
以上のように、第２の機器１０００から送信されたＳＳＩＤの情報、暗号鍵の情報に基づいて、端末１０５０は、基地局４７０と接続し、情報を取得することで、安全性の保証された基地局４７０を介して情報を安全に入手することができる。なぜなら、端末１０５０が可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０１９２】
なお、本実施の形態では、第２の機器１０００が、暗号鍵の情報を送信する場合について説明した。しかし、例えば、基地局４７０が暗号鍵を用いた暗号化された通信を行っていない場合、第２の機器１０００は、暗号鍵の情報を送信せず、ＳＳＩＤに関する情報のみを送信してもよい。この場合、上述した構成のうち、暗号鍵に関する構成を削除するだけで、同様に実施することができる。
【０１９３】
また、第２の機器の構成は図１５に示す第２の機器１０００の構成に限ったものではなく、端末の構成は図１５に示す端末１０５０の構成に限ったものではなく、基地局の接続先、構成は、図１５に示す基地局４７０の接続先、構成に限ったものではない。
【０１９４】
また、図１５において、基地局４７０が１つ配置されている場合について記載しているが、端末１０５０がアクセス可能な（安全な）基地局（または、ＡＰ）が複数存在していてもよい。なお、これらの複数の基地局と端末１０５０は、電波を用いて、変調信号の送受信をそれぞれ行うことになる。このとき、図１５の第２の機器１０００が送信するＳＳＩＤに関するシンボルには、これらの複数の基地局（または、ＡＰ）のそれぞれのＳＳＩＤの情報が含まれていてもよい。この場合、図１５の端末１０５０の表示部１５７には、アクセス先の表示として、複数の基地局のＳＳＩＤのリスト、および／または複数のアクセス先のリストが表示される。また、図１５の第２の機器１０００が送信する暗号鍵に関するシンボルには、これらの複数の基地局（または、ＡＰ）のそれぞれと接続するために用いる暗号鍵の情報が含まれていてもよい。そして、図１５の端末１０５０は、複数の基地局のＳＳＩＤの情報、暗号鍵の情報に基づいて、（例えば、電波により）実際に無線接続する１つ以上の基地局を選択してもよい（つまり、複数の基地局と同時に接続してもよい）。
【０１９５】
例えば、基地局４７０が３つ配置されるとする。ここでは、３つの基地局４７０をそれぞれ基地局＃Ａ、基地局＃Ｂ、基地局＃Ｃと呼ぶ。また、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とする。また、基地局＃Ａと接続するための暗号鍵を「１２３」とし、基地局＃Ｂと接続するための暗号鍵を「４５６」とし、基地局＃Ｃと接続するための暗号鍵を「７８９」とする。
【０１９６】
この場合、第２の機器１０００が送信する変調信号の図１６のフレーム構成におけるＳＳＩＤに関するシンボル６００−１は、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」とする情報を含んでいる。また、図１６のフレーム構成における暗号鍵に関するシンボル１１０１は、「基地局＃Ａと接続するための暗号鍵を「１２３」」、「基地局＃Ｂと接続するための暗号鍵を「４５６」」、「基地局＃Ｃと接続するための暗号鍵を「７８９」」とする情報を含んでいる。
【０１９７】
そして、図１５の端末１０５０は、ＳＳＩＤに関するシンボル６００−１を受信し、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」の情報を得る。また、端末１０５０は、暗号鍵に関するシンボル１１０１を受信し、「基地局＃Ａと接続するための暗号鍵を「１２３」」、「基地局＃Ｂと接続するための暗号鍵を「４５６」」、「基地局＃Ｃと接続するための暗号鍵を「７８９」」に関する情報を得る。そして、端末１０５０は、これらの情報に基づいて、（例えば、電波により）実際に無線接続する１つ以上の基地局を選択し、接続する。
【０１９８】
また、本実施の形態のように、ＬＥＤを例とする光源を利用して、端末１０５０がアクセスする基地局４７０を設定することで、端末１０５０が送信する無線のための変調信号に、端末１０５０と基地局４７０との無線通信の接続のための手続きを行う特別な設定のためのモードが不要となる。また、基地局４７０が送信する変調信号に、端末１０５０と基地局４７０との無線通信の接続のための手続きを行う特別な設定のためのモードが不要となる。よって、本実施の形態では、無線通信のデータ伝送効率を向上させることができる。
【０１９９】
また、暗号鍵は、上述したように、無線ＬＡＮのＳＳＩＤのための暗号鍵であってもよく、接続形態、サービス形態、ネットワークの接続範囲などを制限するための暗号鍵であってもよい。つまり、何らかの制限のために暗号鍵が導入されればよい。
【０２００】
（実施の形態５）
図１９は、本実施の形態における通信システムの構成の一例を示す図である。
【０２０１】
図１９の通信システムは、例えば、機器１４００Ａ、１４００Ｂ、端末１０５０、および、端末１０５０と通信を行う基地局（または、ＡＰ）４７０を含む。
【０２０２】
機器１４００Ａ，１４００Ｂは、例えば、ＬＥＤなどの可視光源、照明、光源、ライト（以下、光源１４０６−１、１４０６−２という）を具備する。なお、以下では、機器１４００Ａを本実施の形態における「第３の機器」と呼び、機器１４００Ｂを本実施の形態における「第４の機器」と呼ぶ。
【０２０３】
なお、図１９に示す端末１０５０において、図６に示す端末１５０又は図１５に示す端末１０５０と同様に動作する構成要素については、同一番号を付している。また、図１９に示す基地局（またはＡＰ）４７０についても、図９に示す基地局４７０と同様に動作する構成要素については、図９と同一番号を付している。また、図１９に示す端末１０５０の無線装置４５３と基地局４７０との間の通信は、例えば、電波を用いるものとする。
【０２０４】
図１９の第３の機器１４００Ａにおいて、送信部１４０４−１は、ＳＳＩＤに関する情報１４０１−１、データ１４０２−１を入力とし、これらの入力信号に基づいて、（光）変調信号１４０５−１を生成し、変調信号１４０５−１を出力する。そして、変調信号１４０５−１は、例えば、光源１４０６−１から送信される。
【０２０５】
図１９の第４の機器１４００Ｂにおいて、送信部１４０４−２は、暗号鍵に関する情報１４０３−２、データ１４０２−２を入力とし、これらの入力信号に基づいて、（光）変調信号１４０５−２を生成し、変調信号１４０５−２を出力する。そして、変調信号１４０５−２は、例えば、光源１４０６−２から送信される。
【０２０６】
次にＳＳＩＤに関する情報１４０１−１、および、暗号鍵に関する情報１４０３−２について説明する。
【０２０７】
まず、ＳＳＩＤに関する情報１４０１−１について説明する。
【０２０８】
ＳＳＩＤに関する情報１４０１−１は、図１９における基地局４７０のＳＳＩＤを示す情報である。つまり、第３の機器１４００Ａは、端末１０５０に対して電波による安全なアクセス先である基地局４７０へのアクセスを提供することができる。これにより、図１９の端末１０５０は、基地局４７０から、情報を安全に入手することができる。
【０２０９】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、第３の機器１４００Ａが所定の識別子を光信号に含めて送信し、端末１０５０は、受信した識別子に基づいて、通知されたＳＳＩＤが安全な基地局のＳＳＩＤであるか否かを判断してもよい。
【０２１０】
なお、図１９では、基地局４７０のみを示しているが、例えば、基地局４７０以外の基地局（または、ＡＰ）が存在する場合も、端末１０５０は、第３の機器１４００Ａから取得したＳＳＩＤおよび第４の機器１４００Ｂから取得した暗号鍵を用いて基地局４７０にアクセスし、情報を入手することになる。
【０２１１】
次に、暗号鍵に関する情報１４０３−２について説明する。
【０２１２】
暗号鍵に関する情報１４０３−２は、端末１０５０が基地局４７０と電波による通信を行うために必要となる暗号鍵に関する情報である。端末１０５０は、第４の機器１４００Ｂから、暗号鍵に関する情報１４０３−２を得ることで、基地局４７０との間で暗号化された通信を行うことが可能となる。
【０２１３】
以上、ＳＳＩＤに関する情報１４０１−１、および、暗号鍵に関する情報１４０３−２について説明した。
【０２１４】
図１９の端末１０５０は、第３の機器１４００Ａが送信した変調信号を受信する。
【０２１５】
端末１０５０が具備する受光部１５１は、例えば、ＣＭＯＳ、または、有機ＣＭＯＳなどのイメージセンサである。受光部１５１は、第３の機器１４００Ａから送信された変調信号を含む光を受光し、受信信号１５２を出力する。
【０２１６】
そして、受信部１５３は、受光部１５１で受信した受信信号１５２を入力とし、受信信号１５２に含まれる変調信号に対して復調・誤り訂正復号などの処理を行い、受信データ１５４を出力する。
【０２１７】
データ解析部１５５は、受信データ１５４を入力とし、受信データから、例えば、接続先となる基地局のＳＳＩＤの情報１０５１を出力する。無線装置４５３は、ＳＳＩＤの情報１０５１から、無線装置４５３が電波により接続する基地局４７０のＳＳＩＤの情報を得ることになる。
【０２１８】
図１９の端末１０５０は、第４の機器１４００Ｂが送信した変調信号を受信する。
【０２１９】
端末１０５０が具備する受光部１５１は、例えば、ＣＭＯＳ、または、有機ＣＭＯＳなどのイメージセンサなどである。受光部１５１は、第４の機器１４００Ｂから送信された変調信号を含む光を受光し、受信信号１５２を出力する。
【０２２０】
そして、受信部１５３は、受光部１５１で受信した受信信号１５２を入力とし、受信信号１５２に含まれる変調信号に対して復調・誤り訂正復号などの処理を行い、受信データ１５４を出力する。
【０２２１】
データ解析部１５５は、受信データ１５４を入力とし、受信データから、例えば、接続先となる基地局と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０２２２】
端末１０５０が具備する無線装置４５３は、（例えば、電波による）接続先となる基地局と通信を行うための暗号鍵の情報１０５２から、無線装置４５３が接続する基地局４７０の暗号鍵の情報を得ることになる。
【０２２３】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０２２４】
例えば、第１の表示後、無線装置４５３は、ＳＳＩＤの情報１０５１、および、暗号鍵の情報１０５２を入力とし、基地局４７０との電波による接続を確立する。このとき、基地局４７０も、端末１０５０が具備する無線装置４５３と通信を行う場合、変調信号を、例えば電波を用いて送信する。
【０２２５】
その後、無線装置４５３は、データ１０５３、および、制御信号１０５４を入力とし、制御信号１０５４に示される制御に従って、データ１０５３に対して変調を施し、変調信号を電波により送信する。
【０２２６】
そして、例えば、基地局４７０は、ネットワークに対して、データの送信（４７１）、およびネットワークからのデータの受信（４７２）を行う。その後、例えば、基地局４７０は、端末１０５０に対して、変調信号を電波により送信する。
【０２２７】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０２２８】
図２０は、図１９に示す第３の機器１４００Ａが送信する変調信号のフレーム構成の一例を示している。図２０において、横軸は時間である。また、図２０において、図２、図１１、図１６と同様のシンボルについては、同一の符号を付しており、説明を省略する。
【０２２９】
ＳＳＩＤに関するシンボル６００−１は、図１９のＳＳＩＤに関する情報１４０１−１を送信するためのシンボルである。データシンボル１１０２は、データ１４０２−１を送信するためのシンボルである。
【０２３０】
第３の機器１４００Ａは、プリアンブル２０１、制御情報シンボル２０２、ＳＳＩＤに関するシンボル６００−１、データシンボル１１０２を送信する。なお、第３の機器１４００Ａは、図２０で記載しているシンボル以外のシンボルを含むフレームを送信してもよい。また、シンボルを送信する順番を含め、フレーム構成は図２０の構成に限ったものではない。
【０２３１】
図２１は、図１９の第４の機器１４００Ｂが送信する変調信号のフレーム構成の一例を示している。図２１において、横軸は時間である。また、図２１において、図７、図１６と同様のシンボルについては、同一符号を付しており、説明を省略する。
【０２３２】
暗号鍵に関するシンボル１１０１は、図１９の暗号鍵に関する情報１４０３−２を送信するためのシンボルである。データシンボル１１０２は、データ１４０２−２を送信するためのシンボルである。
【０２３３】
第４の機器１４００Ｂは、プリアンブル２０１、制御情報シンボル２０２、暗号鍵に関するシンボル１１０１、データシンボル１１０２を送信する。なお、図１９の第４の機器１４００Ｂは、図２１で記載しているシンボル以外のシンボルを含むフレームを送信してもよい。また、シンボルを送信する順番を含め、フレーム構成は図２１に限ったものではない。
【０２３４】
本実施の形態における無線装置４５３が送信する変調信号のフレーム構成は、実施の形態４で説明した図１７のフレーム構成と同様である。すなわち、図１７に示すように、端末１０５０が具備する無線装置４５３は、例えば、プリアンブル１２０１を送信し、その後、制御情報シンボル１２０２、情報シンボル１２０３を送信する。
【０２３５】
プリアンブル１２０１は、図１９の端末１０５０の無線装置４５３が送信する変調信号を受信する基地局（または、ＡＰ）４７０が、例えば、信号検出、時間同期、フレーム同期、周波数同期、周波数オフセット推定などを行うために用いるシンボルである。
【０２３６】
制御情報シンボル１２０２は、例えば、変調信号を生成するのに使用された、誤り訂正符号化方式の方法、変調方式に関する情報、フレーム構成に関する情報、送信方法に関する情報などのデータを含むシンボルである。基地局４７０は、制御情報シンボル１２０２に含まれる情報に基づいて、変調信号の復調などを実施する。
【０２３７】
情報シンボル１２０３は、端末１０５０の無線装置４５３がデータを伝送するためのシンボルである。
【０２３８】
なお、図１９に示す端末１０５０の無線装置４５３は、図１７に記載しているシンボル以外のシンボルを含むフレームを送信してもよい。例えば、無線装置４５３は、情報シンボル１２０３の途中でパイロットシンボル（リファレンスシンボル）が含まれるフレームなどを送信してもよい。また、シンボルを送信する順番を含め、フレーム構成は、図１７の構成に限ったものではない。また、図１７において、周波数軸方向に複数のシンボルが存在していてもよい。つまり、図１７において、複数の周波数（複数のキャリア）にシンボルが存在していてもよい。
【０２３９】
本実施の形態における基地局４７０が送信する変調信号のフレーム構成は、実施の形態３で説明した図１２のフレーム構成と同様である。すなわち、図１２に示すように、基地局４７０は、例えば、プリアンブル７０１を送信し、その後、制御情報シンボル７０２、情報シンボル７０３を送信する。
【０２４０】
プリアンブル７０１は、基地局４７０が送信する変調信号を受信する図１９の端末１０５０の無線装置４５３が、例えば、信号検出、時間同期、フレーム同期、周波数同期、周波数オフセット推定などを行うためのシンボルである。
【０２４１】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。図１９の端末１０５０の無線装置４５３は、制御情報シンボル７０２の情報に基づいて、変調信号の復調などを実施する。
【０２４２】
情報シンボル７０３は、図１９の基地局４７０がデータを伝送するためのシンボルである。
【０２４３】
なお、図１９に示す基地局４７０は、図１２に記載しているシンボル以外のシンボルを含むフレームを送信してもよい。例えば、基地局４７０は、情報シンボル７０３の途中でパイロットシンボル（リファレンスシンボル）が含まれるフレームなどを送信してもよい。また、シンボルを送信する順番を含め、フレーム構成は、図１２の構成に限ったものではない。また、図１２において、周波数軸方向に複数のシンボルが存在していてもよい。つまり、図１２において、複数の周波数（複数のキャリア）にシンボルが存在してもよい。
【０２４４】
また、例えば、第３の機器１４００Ａが送信する図２０のフレーム構成の変調信号は、規則的なタイミングで、例えば、繰り返し、送信する方法が考えられる。これにより、複数の端末１０５０が、上述したような動作を実施することができる。同様に、第４の機器１４００Ｂが送信する図２１のフレーム構成の変調信号は、規則的なタイミングで、例えば、繰り返し、送信する方法が考えられる。これにより、複数の端末１０５０が、上述したような動作を実施することができる。
【０２４５】
図２２は、図１９に示す「第３の機器１４００Ａ」、「第４の機器１４００Ｂ」、「端末１０５０」、「基地局４７０」が実施する処理の第１の例を示すフローチャートである。なお、図２２において、図１８と同様に動作するものについては、同一番号を付している。
【０２４６】
まず、第３の機器１４００Ａは、図２０に示すフレーム構成の変調信号を送信する（ＳＴ１７０１）。
【０２４７】
そして、端末１０５０は、第３の機器１４００Ａが送信した変調信号を受信し、端末１０５０がアクセスする基地局４７０のＳＳＩＤを取得する（ＳＴ１７０２）。
【０２４８】
次に、第４の機器１４００Ｂは、図２１に示すフレーム構成の変調信号を送信する（ＳＴ１７０３）。
【０２４９】
そして、端末１０５０、第４の機器１４００Ｂが送信した変調信号を受信し、端末１０５０がアクセスする基地局４７０との通信に用いる暗号鍵を取得する（ＳＴ１７０４）。
【０２５０】
そして、端末１０５０は、基地局４７０との電波による接続を実施する（ＳＴ１３０４）。端末１０５０が基地局４７０の応答を受信することにより、基地局４７０との電波による接続が完了する（ＳＴ１３０５）。
【０２５１】
そして、端末１０５０は、基地局４７０に対して、接続先の情報を電波を用いて送信する（ＳＴ１３０６）。
【０２５２】
基地局４７０は、ネットワークから、端末１０５０に送信するための情報を入手する（ＳＴ１３０７）。
【０２５３】
そして、基地局４７０は、入手した情報を端末１０５０に、電波を用いて送信し、端末１０５０は情報を得る（ＳＴ１３０８）。端末１０５０は、例えば、必要なとき、基地局４７０を介して、ネットワークから必要な情報を取得する。
【０２５４】
図２３は、図１９に示す「第３の機器１４００Ａ」、「第４の機器１４００Ｂ」、「端末１０５０」、「基地局４７０」が実施する処理の第２の例を示すフローチャートである。なお、図２３において、図１８と同様に動作するものについては、同一番号を付している。
【０２５５】
まず、第４の機器１４００Ｂは、図２１に示すフレーム構成の変調信号を送信する（ＳＴ１８０１）。
【０２５６】
そして、端末１０５０は、第４の機器１４００Ｂが送信した変調信号を受信し、端末１０５０がアクセスする基地局４７０との通信に用いる暗号鍵を取得する（ＳＴ１８０２）。
【０２５７】
次に、第３の機器１４００Ａは、図２０に示すフレーム構成の変調信号を送信する（ＳＴ１８０３）。
【０２５８】
そして、端末１０５０は、第３の機器１４００Ａが送信した変調信号を受信し、端末１０５０がアクセスする基地局４７０のＳＳＩＤを取得する（ＳＴ１８０４）。
【０２５９】
そして、端末１０５０は、基地局４７０との電波による接続を実施する（ＳＴ１３０４）。端末１０５０が基地局４７０の応答を受信することにより、基地局４７０との電波による接続が完了する（ＳＴ１３０５）。
【０２６０】
そして、端末１０５０は、基地局４７０に対して、接続先の情報を電波を用いて送信する（ＳＴ１３０６）。
【０２６１】
基地局４７０は、ネットワークから、端末１０５０に送信するための情報を入手する（ＳＴ１３０７）。
【０２６２】
そして、基地局４７０は、入手した情報を端末１０５０に、電波を用いて送信し、端末１０５０は情報を得る（ＳＴ１３０８）。端末１０５０は、例えば、必要なとき、基地局４７０を介して、ネットワークから必要な情報を取得する。
【０２６３】
以上のように、第３の機器１４００Ａから送信されたＳＳＩＤ、および、第４の機器１４００Ｂから送信された暗号鍵の情報に基づいて、端末１０５０は、基地局４７０と接続し、情報を取得する。すなわち、端末１０５０がＳＳＩＤの情報を取得する機器と暗号鍵の情報を取得する機器とが異なるので、安全性の保証された基地局４７０を介して情報を安全に入手することができる。なぜなら、端末１０５０が可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０２６４】
なお、本実施の形態では、第４の機器１４００Ｂが、暗号鍵の情報を送信する場合を説明した。しかし、例えば、基地局４７０が暗号鍵を用いた暗号化された通信を行っていない場合、第４の機器１４００Ｂによって暗号鍵の情報が送信されず、第３の機器１４００ＡによってＳＳＩＤに関する情報のみが送信されればよい。この場合、上述下構成のうち、暗号鍵に関する構成を削除するだけで、同様に実施することができる。
【０２６５】
また、本実施の形態のように、ＳＳＩＤに関する情報を送信する機器（第３の機器１４００Ａ）と、暗号鍵に関する情報を送信する機器（第４の機器１４００Ｂ）とを別にすることで、端末１０５０は基地局４７０とより安全な通信を実現することができる。
【０２６６】
例えば、図２４のような空間を考える。図２４には、エリア＃１とエリア＃２があり、エリア＃１とエリア＃２の間には出入口と壁がある。すなわち、図２４の空間では、エリア＃１からエリア＃２の移動、および、エリア＃２からエリア＃１の移動は、出入口からのみできるものとする。
【０２６７】
図２４のエリア＃１に、基地局４７０、第３の機器１４００Ａ、および、第４の機器１４００Ｂがそれぞれ設置されるものとする。一方、エリア＃２には、第３の機器１４００Ａのみが設置されるものとする。また、図２４において、基地局４７０が送信する電波は、エリア＃１、エリア＃２いずれのエリアでも受信が可能であるとするものとする。
【０２６８】
このとき、第４の機器１４００Ｂが設置されているエリア＃１に存在する端末１０５０は、第４の機器１４００Ｂから基地局４７０の暗号鍵を取得して、基地局４７０と通信が可能となる。また、エリア＃１で基地局４７０との接続を行った端末１０５０が、エリア＃２に移動した場合にも、エリア＃１において第４の機器１４００Ｂから取得していた暗号鍵を用いて、基地局４７０と通信が可能である。また、エリア＃１で基地局４７０との接続を行った端末１０５０が、エリア＃１、エリア＃２以外のエリアに移動し、その後、エリア＃１、エリア＃２の何れかのエリアに戻ってきた場合も、エリア＃１において第４の機器１４００Ｂから取得していた暗号鍵を用いて、基地局４７０との通信が可能となる。
【０２６９】
一方で、エリア＃１に入ることができない端末１０５０は、第４の機器１４００Ｂから暗号鍵を入手することができない。この場合、端末１０５０は、基地局（または、ＡＰ）４７０のＳＳＩＤのみを知っていることになる。そこで、例えば、基地局４７０のＳＳＩＤのみを知っていることで享受することができるサービスによる当該基地局４７０との通信を、端末１０５０が受けられるようにしてもよい。基地局４７０のＳＳＩＤのみを知っていることで享受できるサービスは、ＳＳＩＤと暗号鍵の両方を知っている場合に享受できるサービスよりも限定的なものとすることができる。
【０２７０】
したがって、エリア＃１に入ることができた端末１０５０のみが、基地局４７０と通信を行うことができるようになる。これにより、通信の安全性を確保することができる。また、エリア毎に異なるサービスを提供することができるというシステムを構築することも可能となる。
【０２７１】
なお、端末１０５０が基地局４７０と通信を行うための暗号鍵を（例えば、ある時間区間ごとに）変更することで、変更前の暗号鍵を保持する端末１０５０は、基地局４７０と通信が行うことができなくなる。このような運用を行うことで、より安全な通信を行うことが可能となる。
【０２７２】
また、第３の機器の構成、第４の機器の構成は図１９に示す第３の機器１４００Ａ、第４の機器１４００Ｂの構成に限ったものではなく、端末の構成は、図１９に示す端末１０５０の構成に限ったものではなく、基地局の接続先、構成は、図１９に示す基地局４７０の接続先、構成に限ったものではない。
【０２７３】
また、図１９において、基地局４７０が１つ配置されている場合について記載しているが、端末１０５０がアクセス可能な（安全な）基地局（または、ＡＰ）が複数存在していてもよい。このとき、図１９の第３の機器１４００Ａが送信するＳＳＩＤに関するシンボルには、これらの複数の基地局４７０のそれぞれのＳＳＩＤの情報が含まれていてもよい。また、図１９の第４の機器１４００Ｂが送信する暗号鍵に関するシンボルには、これらの複数の基地局のそれぞれと接続するために用いる暗号鍵の情報が含まれていてもよい。この場合、図１９の端末１０５０の表示部１５７には、アクセス先の表示（前述した「第１の表示」）として、複数の基地局のＳＳＩＤのリスト、および／または複数のアクセス先のリストが表示される。そして、図１９の端末１０５０は、複数の基地局のＳＳＩＤの情報、暗号鍵の情報に基づいて、実際に無線接続する１つ以上の基地局を選択してもよい（つまり、複数の基地局と同時に接続してもよい）。
【０２７４】
例えば、基地局４７０が３つ配置されるとする。ここでは、３つの基地局４７０をそれぞれ基地局＃Ａ、基地局＃Ｂ、基地局＃Ｃと呼ぶ。また、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とする。また、基地局＃Ａと接続するための暗号鍵を「１２３」とし、基地局＃Ｂと接続するための暗号鍵を「４５６」とし、基地局＃Ｃと接続するための暗号鍵を「７８９」とする。
【０２７５】
この場合、第３の機器１４００Ａが送信する変調信号の図２０のフレーム構成におけるＳＳＩＤに関するシンボル６００−１は、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」とする情報を含んでいる。また、第４の機器１４００Ｂが送信する変調信号の図２１のフレーム構成における暗号鍵に関するシンボル１１０１は、「基地局＃Ａと接続するための暗号鍵を「１２３」」、「基地局＃Ｂと接続するための暗号鍵を「４５６」」、「基地局＃Ｃと接続するための暗号鍵を「７８９」」とする情報を含んでいる。
【０２７６】
そして、図１９の端末１０５０は、ＳＳＩＤに関するシンボル６００−１を受信し、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」の情報を得る。また、端末１０５０は、暗号鍵に関するシンボル１１０１を受信し、「基地局＃Ａと接続するための暗号鍵を「１２３」」、「基地局＃Ｂと接続するための暗号鍵を「４５６」」、「基地局＃Ｃと接続するための暗号鍵を「７８９」」に関する情報を得る。そして、端末１０５０は、これらの情報に基づいて、（例えば、電波による）無線接続する基地局を選択し、接続する。
【０２７７】
また、本実施の形態のように、ＬＥＤを例とする光源を利用して、端末１０５０がアクセスする基地局４７０を設定することで、端末１０５０が送信する無線のための変調信号に、端末１０５０と基地局４７０との無線通信の接続のための手続きを行う特別な設定のためのモードが不要となる。また、基地局４７０が送信する変調信号に、端末１０５０と基地局４７０との無線通信の接続のための手続きを行う特別な設定のためのモードが不要となる。よって、本実施の形態では、無線通信のデータ伝送効率を向上させることができる。
【０２７８】
また、暗号鍵は、上述したように、無線ＬＡＮのＳＳＩＤのための暗号鍵であってもよく、接続形態、サービス形態、ネットワークの接続範囲などを制限するための暗号鍵であってもよい。つまり、何らかの制限のために暗号鍵が導入されればよい。
【０２７９】
（実施の形態６）
図２５は、本実施の形態における通信システムの構成の一例を示す図である。
【０２８０】
図２５の通信システムは、例えば、基地局２０００、および、端末１０５０を含む。また、基地局２０００は、送信装置２００１と無線装置２００２とを備える。なお、図２５において、図６、図１５と同様に動作するものについては、同一番号を付している。また、図２５の無線装置２００２と無線装置４５３との通信は、例えば、電波を用いるものとする。
【０２８１】
図２５の基地局（または、ＡＰ）２０００の送信装置２００１は、例えば、ＬＥＤなどの可視光源、照明、光源、ライト（以下、光源１０４という）を具備する。まず、送信装置２００１（つまり、「ＬＥＤなどの可視光源、照明、光源、ライトに関連する部分」）の動作について説明する。
【０２８２】
送信装置２００１において、送信部１０２は、ＳＳＩＤに関する情報１００１−１、暗号鍵に関する情報１００１−２、データ１００２を入力とし、これらの入力信号に基づいて、（光）変調信号１０３を生成し、変調信号１０３を出力する。そして、変調信号１０３は、例えば、光源１０４から送信される。
【０２８３】
次に、ＳＳＩＤに関する情報１００１−１、および、暗号鍵に関する情報１００１−２について説明する。
【０２８４】
まず、ＳＳＩＤに関する情報１００１−１について説明する。
【０２８５】
ＳＳＩＤに関する情報１００１−１は、図２５における基地局２０００の、電波を用いる無線装置２００２のＳＳＩＤを示す情報である。つまり、送信装置２００１は、端末１０５０に対して安全な無線によるアクセス先である無線装置２００２へのアクセスを提供することができる。これにより、図２５の端末１０５０が、無線装置２００２から、情報を安全に入手することができる。
【０２８６】
一方、送信装置２００１は、無線装置２００２に対してアクセスする端末を、送信装置２００１が送信（照射）した光信号を受信可能な空間に位置する端末に制限することができる。
【０２８７】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、送信装置２００１が所定の識別子を光信号に含めて送信し、端末１０５０は、受信した識別子に基づいて、通知されたＳＳＩＤが安全な基地局のＳＳＩＤであるか否かを判断してもよい。
【０２８８】
なお、図２５では、基地局２０００のみを示しているが、例えば、基地局２０００以外の基地局（または、ＡＰ）が存在する場合も、端末１０５０は、送信装置２００１から取得したＳＳＩＤおよび暗号鍵を用いて基地局２０００の無線装置２００２にアクセスし、情報を入手することになる。
【０２８９】
次に、暗号鍵に関する情報１００１−２について説明する。
【０２９０】
暗号鍵に関する情報１００１−２は、端末１０５０が無線装置２００２と通信を行うために必要となる暗号鍵に関する情報である。端末１０５０は、送信装置２００１から、暗号鍵に関する情報１００１−２を得ることで、無線装置２００２との間で暗号化された通信を行うことが可能となる。
【０２９１】
以上、ＳＳＩＤに関する情報１００１−１、および、暗号鍵に関する情報１００１−２について説明した。
【０２９２】
図２５の端末１０５０は、送信装置２００１が送信した変調信号を受信する。なお、図２５の端末１０５０において、図６の端末１５０、図１５の端末１０５０と同様に動作する構成要素については、同一の番号を付している。
【０２９３】
端末１０５０が具備する受光部１５１は、例えば、ＣＭＯＳ、または、有機ＣＭＯＳなどのイメージセンサである。受光部１５１は、送信装置２００１から送信された変調信号を含む光を受光し、受信信号１５２を出力する。
【０２９４】
そして、受信部１５３は、受光部１５１で受信した受信信号１５２を入力とし、受信信号１５２に含まれる変調信号に対して復調・誤り訂正復号などの処理を行い、受信データ１５４を出力する。
【０２９５】
データ解析部１５５は、受信データ１５４を入力とし、受信データから、例えば、接続先となる基地局２０００の無線装置２００２のＳＳＩＤの情報１０５１、および、接続先となる基地局２０００の無線装置２００２と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０２９６】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０２９７】
例えば、第１の表示後、無線装置４５３は、ＳＳＩＤの情報１０５１、および、暗号鍵の情報１０５２を入力とし、基地局２０００の無線装置２００２との接続を確立する（例えば、接続は電波を利用するものとする）。このとき、基地局２０００の無線装置２００２も、端末１０５０が具備する無線装置４５３と通信を行う場合、変調信号を、例えば電波を用いて送信する。
【０２９８】
その後、無線装置４５３は、データ１０５３、および、制御信号１０５４を入力とし、制御信号１０５４に示される制御に従って、データ１０５３に対して変調を施し、変調信号を電波により送信する。
【０２９９】
そして、例えば、基地局２０００の無線装置２００２は、ネットワークに対して、データの送信（４７１）、およびネットワークからのデータの受信（４７２）を行う。その後、例えば、基地局２０００の無線装置２００２は、端末１０５０に対して、変調信号を電波により送信する。
【０３００】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０３０１】
本実施の形態における基地局２０００の無線装置２００２が送信する変調信号のフレーム構成は、実施の形態４で説明した図１６のフレーム構成と同様である。すなわち、図１６において、ＳＳＩＤに関するシンボル６００−１は、図２５のＳＳＩＤに関する情報１００１−１を送信するためのシンボルであり、暗号鍵に関するシンボル１１０１は、図２５の暗号鍵に関する情報１００１−２を送信するためのシンボルである。データシンボル１１０２は、図２５のデータ１００２を送信するためのシンボルである。
【０３０２】
図１６に示すように、基地局２０００の無線装置２００２は、プリアンブル２０１、制御情報シンボル２０２、ＳＳＩＤに関するシンボル６００−１、暗号鍵に関するシンボル１１０１、データシンボル１１０２を送信する。なお、基地局２０００の無線装置２００２は、図１６で記載しているシンボル以外のシンボルを含むフレームを送信してもよい。また、シンボルを送信する順番を含め、フレーム構成は図１６の構成に限ったものではない。
【０３０３】
本実施の形態における端末１０５０が具備する無線装置４５３が送信する変調信号のフレーム構成は、実施の形態４で説明した図１７のフレーム構成と同様である。すなわち、図１７に示すように、図２５の端末１０５０が具備する無線装置４５３は、例えば、プリアンブル１２０１を送信し、その後、制御情報シンボル１２０２、情報シンボル１２０３を送信する。
【０３０４】
このとき、プリアンブル１２０１は、無線装置４５３が送信する変調信号を受信する基地局２０００の無線装置２００２が、例えば、信号検出、時間同期、フレーム同期、周波数同期、周波数オフセット推定などを行うために用いるシンボルである。
【０３０５】
制御情報シンボル１２０２は、例えば、端末１０５０が変調信号を生成するのに使用した誤り訂正符号化方式の方法、変調方式に関する情報、フレーム構成に関する情報、送信方法に関する情報などのデータを含むシンボルである。基地局２０００の無線装置２００２は、制御情報シンボル１２０２に含まれる情報に基づいて、変調信号の復調などを実施する。
【０３０６】
情報シンボル１２０３は、端末１０５０の無線装置４５３がデータを伝送するためのシンボルである。
【０３０７】
なお、端末１０５０の無線装置４５３は、図１７に記載しているシンボル以外のシンボルを含むフレームを送信してもよい。例えば、無線装置４５３は、情報シンボル１２０３の途中でパイロットシンボル（リファレンスシンボル）が含まれるフレームを送信してもよい。また、シンボルを送信する順番を含め、フレーム構成は、図１７の構成に限ったものではない。また、図１７において、周波数軸方向に複数のシンボルが存在していてもよい。つまり、図１７において、複数の周波数（複数のキャリア）にシンボルが存在していてもよい。
【０３０８】
本実施の形態における無線装置２００２が送信する変調信号のフレーム構成は、実施の形態３で説明した図１２のフレーム構成と同様である。すなわち、図１２に示すように、無線装置２００２は、例えば、プリアンブル７０１を送信し、その後、制御情報シンボル７０２、情報シンボル７０３を送信する。
【０３０９】
プリアンブル７０１は、無線装置２００２が送信する変調信号を受信する端末１０５０の無線装置４５３が、例えば、信号検出、時間同期、フレーム同期、周波数同期、周波数オフセット推定などを行うためのシンボルである。
【０３１０】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。端末１０５０の無線装置４５３は、制御情報シンボル７０２の情報に基づいて、変調信号の復調などを実施する。
【０３１１】
情報シンボル７０３は、無線装置２００２がデータを伝送するためのシンボルである。
【０３１２】
なお、図２５に示す基地局２０００の無線装置２００２は、図１２に記載しているシンボル以外のシンボルを含むフレームを送信してもよい。例えば、無線装置２００２は、情報シンボル７０３の途中でパイロットシンボル（リファレンスシンボル）が含まれるフレームなどを送信してもよい。また、シンボルを送信する順番を含め、フレーム構成は、図１２の構成に限ったものではない。また、図１２において、周波数軸方向に複数のシンボルが存在していてもよい。つまり、図１２において、複数の周波数（複数のキャリア）にシンボルが存在していてもよい。
【０３１３】
また、例えば、送信装置２００１が送信する図１６のフレーム構成の変調信号は、規則的なタイミングで、例えば、繰り返し、送信する方法が考えられる。これにより、複数の端末１０５０が、上述したような動作を実施することができる。
【０３１４】
図２６は、図２５に示す「基地局２０００の送信装置２００１」、「端末１０５０」、「基地局２０００の無線装置２００２」が実施する処理の一例を示すフローチャートである。
【０３１５】
まず、送信装置２００１は、図１６のフレーム構成の変調信号を送信する（ＳＴ１３０１）。
【０３１６】
そして、端末１０５０は、送信装置２００１が送信した変調信号を受信し、端末１０５０がアクセスする基地局２０００（無線装置２００２）のＳＳＩＤを取得する（ＳＴ１３０２）。
【０３１７】
併せて、端末１０５０は、端末１０５０がアクセスする基地局２０００（無線装置２００２）との通信に用いる暗号鍵を取得する（ＳＴ１３０３）。
【０３１８】
そして、端末１０５０は、基地局２０００の無線装置２００２との電波による接続を実施する（ＳＴ１３０４）。端末１０５０が基地局２０００の無線装置２００２の応答を受信することにより、端末１０５０と基地局２０００の無線装置２００２との接続が完了する（ＳＴ１３０５）。
【０３１９】
そして、端末１０５０は、基地局２０００の無線装置２００２に対して、接続先の情報を電波を用いて送信する（ＳＴ１３０６）。
【０３２０】
基地局２０００の無線装置２００２は、ネットワークから、端末１０５０に送信するための情報を入手する（ＳＴ１３０７）。
【０３２１】
そして、基地局２０００の無線装置２００２は、入手した情報を端末１０５０に、電波を用いて送信し、端末１０５０は情報を得る（ＳＴ１３０８）。端末１０５０は、例えば、必要なとき、基地局２０００の無線装置２００２を介して、ネットワークから必要な情報を取得する。
【０３２２】
以上のように、基地局２０００の送信装置２００１から送信されたＳＳＩＤの情報、暗号鍵の情報に基づいて、端末１０５０は、基地局２０００の無線装置２００２と接続し、情報を取得することで、安全性の保証された基地局２０００を介して情報を安全に入手することができる。なぜなら、端末１０５０が可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０３２３】
なお、本実施の形態では、送信装置２００１が、暗号鍵の情報を送信する場合を説明した。しかし、例えば、基地局２０００の無線装置２００２が暗号鍵を用いた暗号化された通信を行っていない場合、送信装置２００１は、暗号鍵の情報を送信せず、ＳＳＩＤに関する情報のみを送信してもよい。この場合、送信装置２００１の構成のうち、暗号鍵に関する構成を削除するだけで、同様に実施することができる。
【０３２４】
また、図２５のように、基地局２０００の無線装置２００２のＳＳＩＤおよび暗号鍵を書き換え可能な構成をとってもよい。例えば、図２５では、無線装置２００２には、ＳＳＩＤに関する情報１００１−１、暗号鍵に関する情報１００１−２が入力される。基地局２０００の無線装置２００２は、入力されたＳＳＩＤに関する情報１００１−１、暗号鍵に関する情報１００１−２により、ＳＳＩＤと暗号鍵を書き換える。このようにすると、端末１０５０と基地局２０００の無線装置２００２との通信の安全性がさらに確保されることになる。なお、図２５では、基地局２０００の無線装置２００２がＳＳＩＤ及び暗号鍵の書き換え機能を有しているが、ＳＳＩＤ及び暗号鍵の双方又は何れか一方の書き換え機能がない構成であってもよい。
【０３２５】
また、送信装置の構成は図２５に示す送信装置２００１の構成に限ったものではなく、端末の構成は、図２５に示す端末１０５０の構成に限ったものではなく、無線装置の接続先、構成は、図２５に示す無線装置２００２の接続先、構成に限ったものではない。
【０３２６】
また、図２５において、基地局２０００が１つ配置されている場合について記載しているが、端末１０５０がアクセス可能な（安全な）基地局（または、ＡＰ）２０００の無線装置２００２が複数存在していてもよい。なお、これらの複数の基地局２０００の無線装置２００２と端末１０５０は、電波を用いて、変調信号の送受信を行うことになる。このとき、図２５の送信装置２００１が送信するＳＳＩＤに関するシンボルには、これらの複数の基地局２０００の無線装置２００２のそれぞれのＳＳＩＤの情報が含まれていてもよい。また、図２５の送信装置２００１が送信する暗号鍵に関するシンボルには、これらの複数の基地局２０００の無線装置２００２のそれぞれと接続するために用いる暗号鍵の情報が含まれていてもよい。そして、図２５の端末１０５０は、複数の基地局２０００の無線装置２００２のＳＳＩＤの情報、暗号鍵の情報に基づいて、（例えば、電波による）無線接続する基地局２０００の無線装置２００２を選択してもよい（または、複数の基地局の無線装置と接続してもよい）。
【０３２７】
例えば、無線装置２００２を具備する基地局２０００が３つあるとする。ここでは、３つの基地局２０００の無線装置２００２をそれぞれ無線装置＃Ａ、無線装置＃Ｂ、無線装置＃Ｃと呼ぶ。また、無線装置＃ＡのＳＳＩＤを「ａｂｃｄｅｆ」とし、無線装置＃ＢのＳＳＩＤを「ｇｈｉｊｋ」とし、無線装置＃ＣのＳＳＩＤを「ｐｑｒｓｔｕ」とする。また、無線装置＃Ａと接続するための暗号鍵を「１２３」とし、無線装置＃Ｂと接続するための無線装置を「４５６」とし、無線装置＃Ｃと接続するための暗号鍵を「７８９」とする。
【０３２８】
この場合、送信装置２００１が送信する変調信号の図１６のフレーム構成におけるＳＳＩＤに関するシンボル６００−１は、「無線装置＃ＡのＳＳＩＤを「ａｂｃｄｅｆ」」、「無線装置＃ＢのＳＳＩＤを「ｇｈｉｊｋ」」、「無線装置＃ＣのＳＳＩＤを「ｐｑｒｓｔｕ」」とする情報を含んでいる。また、図１６のフレーム構成における暗号鍵に関するシンボル１１０１は、「無線装置＃Ａと接続するための暗号鍵を「１２３」」、「無線装置＃Ｂと接続するための暗号鍵を「４５６」」、「無線装置＃Ｃと接続するための暗号鍵を「７８９」」とする情報を含んでいる。
【０３２９】
そして、図２５の端末１０５０は、ＳＳＩＤに関するシンボル６００−１を受信し、「無線装置＃ＡのＳＳＩＤを「ａｂｃｄｅｆ」」、「無線装置＃ＢのＳＳＩＤを「ｇｈｉｊｋ」」、「無線装置＃ＣのＳＳＩＤを「ｐｑｒｓｔｕ」」の情報を得る。また、端末１０５０は、暗号鍵に関するシンボル１１０１を受信し、「無線装置＃Ａと接続するための暗号鍵を「１２３」」、「無線装置＃Ｂと接続するための暗号鍵を「４５６」」、「無線装置＃Ｃと接続するための暗号鍵を「７８９」」に関する情報を得る。そして、端末１０５０は、これらの情報に基づいて、（例えば、電波による）無線接続する基地局を選択し、接続する。
【０３３０】
また、本実施の形態のように、ＬＥＤを例とする光源を利用して、端末１０５０がアクセスする基地局２０００の無線装置２００２を設定することで、端末１０５０が送信する無線のための変調信号に、端末１０５０と基地局２０００との無線通信の接続のための手続きを行う特別な設定のためのモードが不要となる。また、基地局２０００が送信する変調信号に、端末１０５０と基地局２０００との無線通信の接続のための手続きを行う特別な設定のためのモードが不要となる。よって、本実施の形態では、無線通信のデータ伝送効率を向上させることができる。
【０３３１】
また、暗号鍵は、上述したように、無線ＬＡＮのＳＳＩＤのための暗号鍵であってもよく、接続形態、サービス形態、ネットワークの接続範囲などを制限するための暗号鍵であってもよい。つまり、何らかの制限のために暗号鍵が導入されればよい。
【０３３２】
（実施の形態７）
図２７は、本実施の形態における通信システムの構成の一例を示す図である。
【０３３３】
図２７の通信システムは、機器１０００、端末１０５０、端末１０５０と通信を行う基地局（またはＡＰ）４７０−１（基地局＃１）、基地局（またはＡＰ）４７０−２（基地局＃２）、基地局（またはＡＰ）４７０−３（基地局＃３）を含む。なお、図２７において、図６、図９、図１５と同様に動作するものについては同一番号を付している。
【０３３４】
機器１０００は、例えば、ＬＥＤなどの可視光、照明、光源、ライト（光源１０４）を具備する。なお、以下では、機器１０００を本実施の形態における「第５の機器」と呼ぶ。また、図２７の無線装置４５３と基地局４７０−１（基地局＃１）の通信、無線装置４５３と基地局４７０−２（基地局＃２）の通信、無線装置４５３と基地局４７０−３（基地局＃３）の通信は、例えば、電波を用いるものとする。
【０３３５】
図２７の第５の機器１０００において、送信部１０１は、ＳＳＩＤに関する情報１００１−１、暗号鍵に関する情報１００１−２、データ１００２を入力とし、これらの入力信号に基づいて、（光）変調信号１０３を生成し、変調信号１０３を出力する。そして、変調信号１０３は、例えば、光源１０４から送信される。
【０３３６】
次に、ＳＳＩＤに関する情報１００１−１、および、暗号鍵に関する情報１００１−２について説明する。
【０３３７】
まず、ＳＳＩＤに関する情報１００１−１について説明する。
【０３３８】
ＳＳＩＤに関する情報１００１−１は、例えば、図２７における基地局４７０−１（基地局＃１）のＳＳＩＤを示す情報、基地局４７０−２（基地局＃２）のＳＳＩＤを示す情報、および、基地局４７０−３（基地局＃３）のＳＳＩＤを示す情報を含む。なお、例として、基地局４７０−１、４７０−２、４７０−３は、変調信号を電波で送信し、電波の変調信号を受信する。つまり、第５の機器１０００は、端末１０５０に対して安全なアクセス先である基地局４７０−１、４７０−２、４７０−３へのアクセスを提供することができる。これにより、図２７の端末１０５０が、基地局４７０−１、４７０−２、４７０−３から、情報を安全に入手することができる。
【０３３９】
一方、第５の機器１０００は、基地局４７０−１、４７０−２、４７０−３に対してアクセスする端末を、第５の機器１０００が送信（照射）した光信号を受信可能な空間に位置する端末に制限することができる。
【０３４０】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、第５の機器１０００が所定の識別子を光信号に含めて送信し、端末１０５０は、受信した識別子に基づいて、通知されたＳＳＩＤが安全な基地局のＳＳＩＤであるか否かを判断してもよい。
【０３４１】
なお、図２７では、基地局４７０−１、４７０−２、４７０−３を示しているが、例えば、基地局４７０−１、４７０−２、４７０−３以外の基地局（または、ＡＰ）が存在してもよい。
【０３４２】
次に、暗号鍵に関する情報１００１−２について説明する。
【０３４３】
暗号鍵に関する情報１００１−２は、端末１０５０が基地局４７０−１、４７０−２、４７０−３と通信を行うために必要となる暗号鍵に関する情報である。端末１０５０は、第５の機器１０００から、暗号鍵に関する情報１００１−２を得ることで、「端末１０５０と基地局４７０−１との間」、「端末１０５０と基地局４７０−２との間」、「端末１０５０と基地局４７０−３との間」で、暗号化された通信を行うことが可能となる。
【０３４４】
以上、ＳＳＩＤに関する情報１００１−１、および、暗号鍵に関する情報１００１−２について説明した。
【０３４５】
図２７の端末１０５０は、第５の機器１０００が送信した変調信号を受信する。なお、図２７の端末１０５０において、図６の端末１５０、図９の端末４５０と同様に動作する構成要素については、同一の番号を付している。
【０３４６】
端末１０５０が具備する受光部１５１は、例えば、ＣＭＯＳ、または、有機ＣＭＯＳなどのイメージセンサなどである。受光部１５１は、第５の機器１０００から送信された変調信号を含む光を受光し、受信信号１５２を出力する。
【０３４７】
そして、受信部１５３は、受光部１５１で受信した受信信号１５２を入力とし、受信信号１５２に含まれる変調信号に対して復調・誤り訂正復号などの処理を行い、受信データ１５４を出力する。
【０３４８】
データ解析部１５５は、受信データ１５４を入力とし、受信データ１５４から、例えば、接続先となる基地局４７０−１、４７０−２、４７０−３のＳＳＩＤの情報１０５１、および、接続先となる基地局４７０−１、４７０−２、４７０−３と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０３４９】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０３５０】
例えば、第１の表示後、無線装置４５３は、ＳＳＩＤの情報１０５１、および、暗号鍵の情報１０５２を入力とし、基地局４７０−１、４７０−２、４７０−３のいずれかとの接続を確立する（例えば、接続は電波を利用するものとする）。このとき、接続された基地局４７０も、端末１０５０が具備する無線装置４５３と通信を行う場合、変調信号を、例えば電波を用いて送信する。
【０３５１】
その後、無線装置４５３は、データ１０５３、および、制御信号１０５４を入力とし、制御信号１０５４に示される制御に従って、データ１０５３に対して変調を施し、変調信号を電波として送信する。
【０３５２】
そして、例えば、接続された基地局４７０は、ネットワークに対し、データの送信（４７１−１、４７１−２、４７１−３のいずれか）、およびネットワークからのデータの受信（４７２−１、４７２−２、４７２−３のいずれか）を行う。その後、例えば、接続された基地局４７０は、端末１０５０に対して、変調信号を電波により送信する。
【０３５３】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０３５４】
第５の機器１０００が送信する変調信号として、図２７の場合、３種類のフレーム構成が存在する。図２８は３種類のフレーム構成のうちの１つであるフレーム２３００−１（フレーム＃１）であり、図２９は３種類のフレーム構成のうちの１つであるフレーム２３００−２（フレーム構成＃２）であり、図３０は３種類のフレーム構成のうちの１つであるフレーム２３００−３（フレーム構成＃３）である。
【０３５５】
図２８は、第５の機器１０００が送信する変調信号のフレーム２３００−１（フレーム＃１）の構成の例を示している。図２８において、横軸は時間である。また、図２８において、図２、図１６と同様のシンボルについては、同一番号を付しており、説明を省略する。図２８のフレーム２３００−１（フレーム＃１）は、図２７の基地局４７０−１（基地局＃１）のＳＳＩＤの情報と基地局４７０−１（基地局＃１）の暗号鍵（基地局４７０−１へアクセスするための暗号鍵）の情報を送信するためのフレームである。
【０３５６】
ＳＳＩＤに関するシンボル２３０１−１は、図２７のＳＳＩＤに関する情報１００１−１を送信するためのシンボルである。また、ＳＳＩＤに関するシンボル２３０１−１は、図２７の第５の機器１０００が基地局４７０−１（基地局＃１）のＳＳＩＤを送信するためのシンボルである。
【０３５７】
暗号鍵に関するシンボル２３０２−１は、図２７の暗号鍵に関する情報１００１−２を送信するためのシンボルである。また、暗号鍵に関するシンボル２３０２−１は、図２７の第５の機器１０００が基地局４７０−１（基地局＃１）の暗号鍵（基地局４７０−１へアクセスするための暗号鍵）を送信するためのシンボルである。
【０３５８】
第５の機器１０００は、プリアンブル２０１、制御情報シンボル２０２、ＳＳＩＤに関するシンボル２３０１−１、暗号鍵に関するシンボル２３０２−１、データシンボル１１０２を送信する。なお、第５の機器１０００は、図２８で記載しているシンボル以外のシンボルを含むフレーム２３００−１（フレーム＃１）を送信してもよい。また、シンボルの送信する順番を含め、フレーム２３００−１（フレーム＃１）の構成は図２８の構成に限ったものではない。
【０３５９】
図２９は、第５の機器１０００が送信する変調信号のフレーム２３００−２（フレーム＃２）の構成の例を示している。図２９において、横軸は時間である。また、図２９において、図２、図１６と同様のシンボルについては、同一番号を付しており、説明は省略する。図２９のフレーム２３００−２（フレーム＃２）は、図２７の基地局４７０−２（基地局＃２）のＳＳＩＤの情報と基地局４７０−２（基地局＃２）の暗号鍵（基地局４７０−２へアクセスするための暗号鍵）の情報を送信するためのフレームである。
【０３６０】
ＳＳＩＤに関するシンボル２３０１−２は、図２７のＳＳＩＤに関する情報１００１−１を送信するためのシンボルである。また、ＳＳＩＤに関するシンボル２３０１−２は、図２７の第５の機器１０００が基地局４７０−２（基地局＃２）のＳＳＩＤを送信するためのシンボルである。
【０３６１】
暗号鍵に関するシンボル２３０２−２は、図２７の暗号鍵に関する情報１００１−２を送信するためのシンボルである。また、暗号鍵に関するシンボル２３０２−２は、図２７の第５の機器１０００が基地局４７０−２（基地局＃２）の暗号鍵（基地局４７０−２へアクセスするための暗号鍵）を送信するためのシンボルである。
【０３６２】
第５の機器１０００は、プリアンブル２０１、制御情報シンボル２０２、ＳＳＩＤに関するシンボル２３０１−２、暗号鍵に関するシンボル２３０２−２、データシンボル１１０２を送信する。なお、第５の機器１０００は、図２９で記載しているシンボル以外のシンボルを含むフレーム２３００−２（フレーム＃２）を送信してもよい。また、シンボルの送信する順番を含め、フレーム２３００−２（フレーム＃２）の構成は図２９の構成に限ったものではない。
【０３６３】
図３０は、第５の機器１０００が送信する変調信号のフレーム２３００−３（フレーム＃３）の構成の例を示している。図３０において、横軸は時間である。また、図３０において、図２、図１６と同様のシンボルについては、同一番号を付しており、説明は省略する。図３０のフレーム２３００−３（フレーム＃３）は、図２７の基地局４７０−３（基地局＃３）のＳＳＩＤの情報と基地局４７０−３（基地局＃３）の暗号鍵（基地局４７０−３へアクセスするための暗号鍵）の情報を送信するためのフレームである。
【０３６４】
ＳＳＩＤに関するシンボル２３０１−３は、図２７のＳＳＩＤに関する情報１００１−１を送信するためのシンボルである。また、ＳＳＩＤに関するシンボル２３０１−３は、図２７の第５の機器１０００が基地局４７０−３（基地局＃３）のＳＳＩＤを送信するためのシンボルである。
【０３６５】
暗号鍵に関するシンボル２３０２−３は、図２７の暗号鍵に関する情報１００１−２を送信するためのシンボルである。また、暗号鍵に関するシンボル２３０２−３は、第５の機器１０００が基地局４７０−３（基地局＃３）の暗号鍵（基地局４７０−３へアクセスするための暗号鍵）を送信するためのシンボルである。
【０３６６】
第５の機器１０００は、プリアンブル２０１、制御情報シンボル２０２、ＳＳＩＤに関するシンボル２３０１−３、暗号鍵に関するシンボル２３０２−３、データシンボル１１０２を送信する。なお、第５の機器１０００は、図３０で記載しているシンボル以外のシンボルを含むフレーム２３００−３（フレーム＃３）を送信してもよい。また、シンボルの送信する順番を含め、フレーム２３００−３（フレーム＃３）の構成は図３０の構成に限ったものではない。
【０３６７】
図３１は、第５の機器１０００が、「図２８のフレーム２３００−１（フレーム＃１）」、「図２９のフレーム２３００−２（フレーム＃２）」、「図３０のフレーム２３００−３（フレーム＃３）」を送信する際の送信方法の例を示す。図３１において、横軸は時間である。
【０３６８】
図３１において、「フレーム＃１群送信」２６０１−１、２６０１−２では、図２８のフレーム２３００−１（フレーム＃１）が１つ以上送信される。また、「フレーム＃２群送信」２６０２−１、２６０２−２では、図２９のフレーム２３００−２（フレーム＃２）が１つ以上送信される。また、「フレーム＃３群送信」２６０３−１、２６０３−２では、図３０のフレーム２３００−３（フレーム＃３）が１つ以上送信される。
【０３６９】
このときの詳しい説明を以下で行う。
【０３７０】
まず、「フレーム＃１群送信」２６０１−１、２６０１−２において図２８のフレーム２３００−１（フレーム＃１）が１つ以上送信される点について説明する。
【０３７１】
例えば、受光部１５１において、ＣＭＯＳ、または、有機ＣＭＯＳなどのイメージセンサを用いた場合、動画または静止画におけるフレーム単位で、受信信号を処理する可能性がある。なお、例えば、動画において、「４Ｋ  ３０ｐ」と記載されていた場合、１フレームの画素数が３８４０×２１６０であり、１秒間のフレーム数が３０であることを意味している。
【０３７２】
したがって、第５の機器１０００が、１フレーム内に「図２８のフレーム２３００−１（フレーム＃１）」、「図２９のフレーム２３００−２（フレーム＃２）」、「図３０のフレーム２３００−３（フレーム＃３）」が存在するような構成の変調信号を送信すると、図２７の端末１０５０は、複数の基地局４７０−１、４７０−２、４７０−３から、アクセスする基地局４７０の選択が難しくなる。
【０３７３】
そこで、本実施の形態では、図３１に示すようなフレーム構成を提案する。
【０３７４】
＜第１−１の方法＞
第１−１の方法として、「フレーム＃１群送信」２６０１−１、２６０１−２の各々に、図２８のフレーム２３００−１（フレーム＃１）を複数含めることで、「フレーム＃１群送信」２６０１−１、２６０１−２の各々が占める時間区間が、動画または静止画におけるフレームよりも長い時間になるようにする。
【０３７５】
こうすることで、端末１０５０が、第５の機器１０００より、動画または静止画における１フレーム内に「図２８のフレーム２３００−１（フレーム＃１）」、「図２９のフレーム２３００−２（フレーム＃２）」、「図３０のフレーム２３００−３（フレーム＃３）」、つまり、異なるＳＳＩＤ、暗号鍵を含む変調信号を受信することを防ぐことができる。よって、図２７の端末１０５０は、複数の基地局４７０−１、４７０−２、４７０−３から、アクセスする基地局４７０を容易に選択することができる。
【０３７６】
＜第２−１の方法＞
第２−１の方法として、図２８のフレーム２３００−１（フレーム＃１）が占める時間区間を、動画または静止画におけるフレームよりも長い時間になるようにする。
【０３７７】
例えば、図２８におけるＳＳＩＤに関するシンボル２３０１−１には、「基地局＃１のＳＳＩＤの情報」が複数含まれており（つまり、「基地局＃１のＳＳＩＤの情報」が繰り返し含まれている）、暗号鍵に関するシンボル２３０２−１には、「基地局＃１の暗号鍵の情報（基地局＃１と接続するための暗号鍵の情報）」が複数含まれている（つまり、「基地局＃１の暗号鍵の情報（基地局＃１と接続するための暗号鍵の情報）」が繰り返し含まれている）構成でもよい。
【０３７８】
こうすることで、端末１０５０が、第５の機器１０００より、動画または静止画における１フレーム内に「図２８の２３００−１のフレーム＃１」、「図２９の２３００−２のフレーム＃２」、「図３０の２３００−３のフレーム＃３」、つまり、異なるＳＳＩＤ、暗号鍵を含む変調信号を受信することを防ぐことができる。よって、端末１０５０は、複数の基地局４７０−１、４７０−２、４７０−３から、アクセスする基地局４７０を容易に選択することができる。
【０３７９】
同様に考えると、「フレーム＃２群送信」２６０２−１、２６０２−２は、以下のような構成であるとよい。
【０３８０】
＜第１−２の方法＞
第１−２の方法として、「フレーム＃２群送信」２６０２−１、２６０２−２の各々に、図２９のフレーム２３００−２（フレーム＃２）を複数含めることで、「フレーム＃２群送信」が占める時間区間が、動画または静止画におけるフレームよりも長い時間になるようにする。
【０３８１】
＜第２−２の方法＞
第２−２の方法として、図２９のフレーム２３００−２（フレーム＃２）が占める時間区間が、動画または静止画におけるフレームよりも長い時間になるようにする。
【０３８２】
例えば、図２９におけるＳＳＩＤに関するシンボル２３０１−２には、「基地局＃２のＳＳＩＤの情報」が複数含まれており（つまり、「基地局＃２のＳＳＩＤの情報」が繰り返し含まれている）、暗号鍵に関するシンボル２３０２−２には、「基地局＃２の暗号鍵の情報（基地局＃２と接続するための暗号鍵の情報）」が複数含まれている（つまり、「基地局＃２の暗号鍵の情報（基地局＃２と接続するための暗号鍵の情報）」が繰り返し含まれている）構成でもよい。
【０３８３】
同様に考えると、「フレーム＃３群送信」２６０３−１、２６０３−２は、以下のような構成であるとよい。
【０３８４】
＜第１−３の方法＞
第１−３の方法として、「フレーム＃３群送信」２６０３−１、２６０３−２の各々に、図３０のフレーム２３００−３（フレーム＃３）を複数含めることで、「フレーム＃３群送信」が占める時間区間が、動画または静止画におけるフレームよりも長い時間になるようにする。
【０３８５】
＜第２−３の方法＞
第２−３の方法として、図３０のフレーム２３００−３（フレーム＃３）が占める時間区間が、動画または静止画におけるフレームよりも長い時間になるようにする。
【０３８６】
例えば、図３０におけるＳＳＩＤに関するシンボル２３０１−３には、「基地局＃３のＳＳＩＤの情報」が複数含まれており（つまり、「基地局＃３のＳＳＩＤの情報」が繰り返し含まれている）、暗号鍵に関するシンボル２３０２−３には、「基地局＃３の暗号鍵の情報（基地局＃３と接続するための暗号鍵の情報）」が複数含まれている（つまり、「基地局＃３の暗号鍵の情報（基地局＃３と接続するための暗号鍵の情報）」が繰り返し含まれている）構成でもよい。
【０３８７】
次に、図２８から図３１のように第５の機器１０００がフレームを送信した場合の効果について説明する。
【０３８８】
一例として、図３２における２７００のエリアについて考える。図３２では、「○」２７０１−１、２７０１−２、２７０１−３、２７０１−４、２７０１−５、２７０１−６、２７０１−７、２７０１−８、２７０１−８、２７０１−９、２７０１−１０の位置に、第５の機器１０００が配置される。また、「◎」２７０２−１の位置に基地局４７０−１（基地局＃１）が配置され、「◎」２７０２−２の位置に基地局４７０−２（基地局＃２）が配置され、「◎」２７０２−３の位置に基地局４７０−３（基地局＃３）が配置される。
【０３８９】
そして、例えば、エリア２７０３の内側に、端末１０５０の構成と同様の構成を具備する端末（以下、単に端末１０５０と表す）が９９台存在するものとする。
【０３９０】
このとき、例えば、「○」２７０１−５、２７０１−１０の位置に配置された第５の機器１０００がともに、基地局４７０−３（基地局＃３）のＳＳＩＤの情報を送信し、基地局４７０−３（基地局＃３）にアクセスするための暗号鍵の情報を送信する。これは、「○」２７０１−５、２７０１−１０の位置から最も近い基地局が基地局４７０−３（基地局＃３）であるからである。
【０３９１】
この場合、９９台の全ての端末１０５０は、基地局４７０−３（基地局＃３）にアクセスすることになる。すると、アクセス集中により、基地局４７０−３（基地局＃３）にアクセス困難な端末１０５０が存在する可能性が高くなってしまう。
【０３９２】
この点を考慮すると、９９台の端末１０５０が、基地局４７０−１（基地局＃１）（「○」２７０２−１の位置）、基地局４７０−２（基地局＃２）（［○］２７０２−２の位置）、基地局４７０−３（基地局＃３）（［○］２７０２−３の位置）にできる限り均等にアクセスするような制御を行うことで、上述したような、基地局４７０にアクセス困難な端末１０５０の存在を低減することができる。
【０３９３】
例えば、９９台の端末１０５０が第５の機器１０００にアクセスするタイミングは一般的には異なることになるので、本実施の形態のように、第５の機器１０００が、図２８から図３１のようにフレームを送信した場合、９９台の端末１０５０は、各々が第５の機器１０００にアクセスするタイミングに応じて、基地局４７０−１、４７０−２、４７０−３の何れか１つのＳＳＩＤおよび暗号鍵を取得することになる。これにより、「９９台の端末１０５０が、基地局４７０−１、４７０−２、４７０−３にできる限り均等にアクセスするような制御を行う」ことになる。したがって、上述したような、基地局４７０にアクセス困難な端末１０５０の存在を低減することができる。
【０３９４】
なお、図３１では、第５の機器１０００が、「図２８のフレーム２３００−１（フレーム＃１）」、「図２９のフレーム２３００−２（フレーム＃２）」、「図３０のフレーム２３００−３（フレーム＃３）」を送信する際の送信方法の例を示している。しかし、第５の機器１００が「図２８のフレーム２３００−１（フレーム＃１）」、「図２９のフレーム２３００−２（フレーム＃２）」、「図３０のフレーム２３００−３（フレーム＃３）」を送信する際の送信方法はこれに限ったものではない。
【０３９５】
例えば、図３１では、第５の機器１０００が「フレーム＃１群送信」、「フレーム＃２群送信」、「フレーム＃３群送信」の順に繰り返し送信する構成を示しているが、「フレーム＃１群送信」、「フレーム＃２群送信」、「フレーム＃３群送信」は、図３１のような順番で送信する必要はない。または、例えば、第５の機器１０００が「フレーム群１送信」、「フレーム群＃２送信」、「フレーム群＃３送信」を時間的にランダムに送信してもよいし、「フレーム群１送信」、「フレーム群＃２送信」、「フレーム群＃３送信」の送信の順番を、図３１とは異なる規則的な順番で送信してもよい。少なくとも、第５の機器１０００が「フレーム＃１群送信」、「フレーム＃２群送信」、「フレーム＃３群送信」を送信していればよい。
【０３９６】
また、図３１では、第５の機器１０００が「フレーム＃１群送信」、「フレーム＃２群送信」、「フレーム＃３群送信」を連続的に送信しているが、必ずしも連続的に送信しなくてもよい。例えば、図３１において、フレーム＃１群２６０１−１とフレーム＃２群送信２６０２−２に時間的な間隔があってもよい。
【０３９７】
また、図３１では、「フレーム＃１群送信」、「フレーム＃２群送信」、「フレーム＃３群送信」のみで構成しているが、他のシンボル、他のフレームが存在していてもよい。さらに、図３１および図２７において、基地局４７０の数を３台としているが、基地局４７０の数はこれに限ったものではなく、基地局４７０を２台以上とした場合でも、基地局４７０が３台の場合と同様に動作することが可能である。したがって、例えば、基地局４７０がＮ台（Ｎは２以上の整数）ある場合、第５の機器１０００が図３１のような送信を行う場合、「フレーム＃ｋ群送信」が存在することになる。なお、ｋは１以上Ｎ以下の整数となる。そして、「フレーム＃ｋ群送信」には、ＳＳＩＤに関するシンボル（基地局＃ｋのＳＳＩＤの情報）が含まれており、暗号鍵に関するシンボル（基地局＃ｋのアクセスのための暗号鍵の情報）が含まれていることになる。
【０３９８】
図２７の端末１０５０が具備する無線装置４５３が送信する変調信号のフレーム構成は、実施の形態４で説明した図１７のフレーム構成と同様である。すなわち、図１７に示すように、図２７の端末１０５０が具備する無線装置４５３は、例えば、プリアンブル１２０１を送信し、その後、制御情報シンボル１２０２、情報シンボル１２０３を送信する。
【０３９９】
プリアンブル１２０１は、端末１０５０の無線装置４５３が送信する変調信号を受信する基地局４７０−１、４７０−２、４７０−３が、例えば、信号検出、時間同期、フレーム同期、周波数同期、周波数オフセット推定などを行うために用いるシンボルである。
【０４００】
制御情報シンボル１２０２は、例えば、変調信号を生成するのに使用された、誤り訂正符号化方式の方法、変調方式に関する情報、フレーム構成に関する情報、送信方法に関する情報などのデータを含むシンボルである。基地局４７０−１、４７０−２、４７０−３は、制御情報シンボル１２０２に含まれる情報に基づいて、変調信号の復調などを実施する。
【０４０１】
情報シンボル１２０３は、端末１０５０の無線装置４５３がデータを伝送するためのシンボルである。
【０４０２】
なお、図２７の端末１０５０の無線装置４５３は、図１７に記載しているシンボル以外のシンボルを含むフレームを送信してもよい（例えば、情報シンボル１２０３の途中でパイロットシンボル（リファレンスシンボル）が含まれるフレームなど）。また、シンボルを送信する順番を含め、フレーム構成は、図１７の構成に限ったものではない。そして、図１７において、周波数軸方向に複数のシンボルが存在していてもよい、つまり、複数の周波数（複数のキャリア）にシンボルが存在していてもよい。
【０４０３】
図２７の基地局４７０−１、４７０−２、４７０−３が送信する変調信号のフレーム構成は、実施の形態３で説明した図１２のフレーム構成と同様である。すなわち、図１２に示すように、基地局４７０−１、４７０−２、４７０−３は、例えば、プリアンブル７０１を送信し、その後、制御情報シンボル７０２、情報シンボル７０３を送信する。
【０４０４】
プリアンブル７０１は、基地局４７０−１、４７０−２、４７０−３が送信する変調信号を受信する端末１０５０の無線装置４５３が、例えば、信号検出、時間同期、フレーム同期、周波数同期、周波数オフセット推定などを行うためのシンボルである。
【０４０５】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。端末１０５０の無線装置４５３は、制御情報シンボル７０２の情報に基づいて、変調信号の復調などを実施する。
【０４０６】
情報シンボル７０３は、基地局４７０−１、４７０−２、４７０−３がデータを伝送するためのシンボルである。
【０４０７】
なお、基地局４７０−１、４７０−２、４７０−３は、図１２に記載しているシンボル以外のシンボルを含むフレームを送信してもよい。例えば、基地局４７０−１、４７０−２、４７０−３は、情報シンボル７０３の途中でパイロットシンボル（リファレンスシンボル）が含まれるフレームなどを送信してもよい。また、シンボルを送信する順番を含め、フレーム構成は、図１２の構成に限ったものではない。そして、図１２において、周波数軸方向に複数のシンボルが存在していてもよい。つまり、図１２において、複数の周波数（複数のキャリア）にシンボルが存在していてもよい。
【０４０８】
図３３は、「第５の機器１０００」、「端末１０５０」、「基地局＃Ｘ」が実施する処理の一例を示すフローチャートである。なお、Ｘは１または２または３となる。
【０４０９】
まず、第５の機器１０００は、図３１のフレーム構成の変調信号を送信する（ＳＴ２８０１）。
【０４１０】
そして、端末１０５０は、第５の機器１０００が送信した変調信号を受信し、端末１０５０がアクセスする基地局を図２７の基地局４７０−１（基地局＃１）、基地局４７０−２（基地局＃２）、基地局４７０−３（基地局＃３）から選択する（ＳＴ２８０２）。
【０４１１】
以下、この点について説明する。端末１０５０は、基地局４７０の何れかとアクセスするために、第５の機器１０００が送信した変調信号を受信する。このとき、端末１０５０は、例えば、動画または静止画のある１フレームにおいて、図３１における「フレーム＃１群送信」、「フレーム＃２群送信」、「フレーム＃３群送信」のいずれかを得ることになる。そして、端末１０５０は、得られた基地局の情報（例えばＳＳＩＤ）から、端末１０５０がアクセスする基地局４７０を基地局４７０−１（基地局＃１）、基地局４７０−２（基地局＃２）、基地局４７０−３（基地局＃３）のいずれかに決定する。
【０４１２】
次に、端末１０５０は、第５の機器１０００が送信した変調信号を受信し、端末１０５０がアクセスする基地局＃ＸのＳＳＩＤを取得する（ＳＴ２８０３）。
【０４１３】
併せて、端末１０５０は、端末１０５０がアクセスする基地局＃Ｘとの通信に用いる暗号鍵を取得する（ＳＴ２８０４）。
【０４１４】
そして、端末１０５０は、基地局＃Ｘとの電波による接続を実施する（ＳＴ２８０５）。端末１０５０が基地局＃Ｘの応答を受信することにより、端末１０５０と基地局＃Ｘとの接続が完了する（ＳＴ２８０６）。
【０４１５】
そして、端末１０５０は、基地局＃Ｘに対し、接続先の情報を、電波を用いて送信する（ＳＴ２８０７）。
【０４１６】
基地局＃Ｘは、ネットワークから、端末１０５０に送信するための情報を入手する（ＳＴ２８０８）。
【０４１７】
そして、基地局＃Ｘは、入手した情報を端末１０５０に、電波を用いて送信し、端末１０５０は情報を得る（ＳＴ２８０９）。端末１０５０は、例えば、必要なとき、基地局＃Ｘを介して、ネットワークから必要な情報を取得する。
【０４１８】
以上のように、第５の機器１０００から送信されたＳＳＩＤの情報、暗号鍵の情報に基づいて、端末１０５０は、基地局４７０と接続し、情報を取得することで、安全性の保証された基地局４７０を介して情報を安全に入手することができる。なぜなら、可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０４１９】
なお、本実施の形態では、第５の機器１０００が、暗号鍵の情報を送信する場合について説明した。しかし、例えば、基地局４７０が暗号鍵を用いた暗号化された通信を行っていない場合、第５の機器１０００は、暗号鍵の情報を送信せず、ＳＳＩＤに関する情報のみを送信してもよい。この場合、上述した構成のうち、暗号鍵に関する構成を削除するだけで、同様に実施することができる。
【０４２０】
また、第５の機器の構成は図２７に示す第５の機器１０００の構成に限ったものではなく、端末の構成は、図２７に示す端末１０５０の構成に限ったものではなく、基地局＃１、＃２、＃３の接続先、構成についても図２７に示す基地局４７０−１、４７０−２、４７０−３の接続先、構成に限ったものではない。
【０４２１】
また、本実施の形態によれば、あるエリアに端末１０５０が複数存在していた場合でも、基地局４７０にアクセス困難な端末１０５０の存在を低減することができる。
【０４２２】
なお、図３２において、「○」２７０１−１、２７０１−２、２７０１−３、２７０１−４、２７０１−５、２７０１−６、２７０１−７、２７０１−８、２７０１−８、２７０１−９、２７０１−１０の位置に配置した第５の機器１０００が送信する変調信号のフレーム構成は、全てが図３１の構成と同様であってもよく、第５の機器１０００が送信する変調信号がそれぞれ異なるフレーム構成であってもよく、同一のフレーム構成の変調信号を送信する第５の機器１０００が複数存在していてもよい。
【０４２３】
（実施の形態８）
本実施の形態では、上述した通信システムの適用例として、航空機内に適用する場合について説明する。
【０４２４】
以下では、航空機内における座席エリアは、利用客に提供されるサービスのクラスに応じて区分されているものとする。例えば、以下では、上位サービスのクラス（例えば、ファーストクラス）、中位サービスのクラス（例えば、ビジネスクラス）、下位サービスのクラス（例えば、エコノミークラス）の３段階に区分されているものとする。なお、サービスのクラスの区分はこれに限るものではなく、例えばさらに細かくサービスのクラスが区分されてもよい。
【０４２５】
また、図３４に示すように、航空機内の座席エリアは、上位サービスの提供を受ける利用客の座席のエリア＃１、中位サービスの提供を受ける利用客の座席のエリア＃２、及び、下位サービスの提供を受ける利用客の座席のエリア＃３に区分される。
【０４２６】
また、以下の適用例において、通信システムを構成する機器、端末、ＡＰ（基地局）は、例えば、上述した図９、図１５、図１９、図２５、図２７で示した機器４００、１０００、１４００、２００１、端末４５０、１０５０、ＡＰ（基地局、無線装置）４７０、２００２と同様の構成を有してもよい。
【０４２７】
すなわち、本実施の形態における機器（例えば、機器＃１、＃２、＃３）は、少なくとも１つのＡＰ（基地局）のＳＳＩＤ（識別子）を含む光信号を送信（照射）する。また、本実施の形態における端末（例えば、端末＃１、＃２、＃３）は、機器から照射された光信号を受光し、光信号に含まれるＳＳＩＤに基づいて、１つのＡＰを選択し、選択したＡＰのＳＳＩＤを用いてＡＰと無線接続し、無線により通信を行う。また、本実施の形態におけるＡＰ（基地局）は、端末と無線により通信を行い、また、航空機内のネットワーク（ローカルネットワーク）又は航空機の外部のネットワーク（例えば、インターネット）を介して各種サーバと通信を行う。
【０４２８】
＜適用例１＞
適用例１では、図３４に示すように、エリア＃１に、第１の無線ＬＡＮ方式に対応したＡＰ＃１が１つ以上設置され、エリア＃２に、第２の無線ＬＡＮ方式に対応したＡＰ＃２が１つ以上設置され、エリア＃３に、第３の無線ＬＡＮ方式に対応したＡＰ＃３が１つ以上設置される。各ＡＰは、当該ＡＰが設置されるエリアで提供されるサービスのクラス毎に対応付けられている。
【０４２９】
なお、第１の無線ＬＡＮ方式の最大伝送速度は、第２の無線ＬＡＮ方式の最大伝送速度より速く、第２の無線ＬＡＮの最大伝送速度は、第３の無線ＬＡＮ方式の最大伝送速度よりも速いものとする。つまり、提供されるサービスのクラスが高いほど、当該クラスに対応付けられたＡＰは最大伝送速度がより速い無線ＬＡＮ方式（無線通信方式）に対応する。
【０４３０】
例えば、適用例１において、第１の無線ＬＡＮ方式では、IEEE 802.11ac, IEEE 802.11n, IEEE 802.11a, IEEE 802.11g, IEEE 802.11bに対応し、第２の無線ＬＡＮ方式では、IEEE 802.11n, IEEE 802.11a, IEEE 802.11g, IEEE 802.11bに対応し、第３の無線ＬＡＮ方式では、IEEE 802.11a, IEEE 802.11g, IEEE 802.11bに対応してもよい。
【０４３１】
すなわち、適用例１では、各ＡＰが対応する無線ＬＡＮ方式は、当該ＡＰが対応付けられたサービスのクラスよりも下位のクラスに対応付けられたＡＰが対応する無線ＬＡＮ方式を含む。具体的には、第１の無線ＬＡＮ方式には、第２の無線ＬＡＮ方式および第３の無線ＬＡＮ方式の対応規格も含まれ、第２の無線ＬＡＮ方式には、第３の無線ＬＡＮ方式の対応規格も含まれる。ただし、第１の無線ＬＡＮ方式の対応規格、第２の無線ＬＡＮ方式の対応規格、第３の無線ＬＡＮ方式の対応規格の例は上記に限ったものではない。
【０４３２】
また、図３４に示すように、エリア＃１には、ＬＥＤなどの可視光、照明、光源、ライトを具備する機器＃１が１つ以上設置され、エリア＃２には、ＬＥＤなどの可視光、照明、光源、ライトを具備する機器＃２が１つ以上設置され、エリア＃３には、ＬＥＤなどの可視光、照明、光源、ライトを具備する機器＃３が１つ以上設置される。例えば、機器＃１、機器＃２、機器＃３は、各座席に設置されている照明、または、モニタ画面などを光源とする機器であってもよい。
【０４３３】
適用例１では、エリア＃１に存在する機器＃１は、第１の無線ＬＡＮ方式に対応した１つ以上のＡＰ＃１のＳＳＩＤの情報を送信する。また、エリア＃２に存在する機器＃２は、第２の無線ＬＡＮ方式に対応した１つ以上のＡＰ＃２のＳＳＩＤの情報を送信する。また、エリア＃３に存在する機器＃３は、第３の無線ＬＡＮ方式に対応した１つ以上のＡＰ＃３のＳＳＩＤの情報を送信する。
【０４３４】
各エリアに位置する端末は、機器＃１、機器＃２、機器＃３の何れかの機器から照射される光信号を受光して取得したＡＰのＳＳＩＤの情報に基づいて、取得したＳＳＩＤに対応するＡＰと無線ＬＡＮにより接続する。具体的には、図３４に示すように、エリア＃１（例えば、ファーストクラス）に位置する端末＃１は、機器＃１からＡＰ＃１のＳＳＩＤの情報を取得し、取得したＳＳＩＤを用いてＡＰ＃１と無線により接続する。同様に、図３４に示すように、エリア＃２（例えば、ビジネスクラス）に位置する端末＃２は、機器＃２からＡＰ＃２のＳＳＩＤの情報を取得し、取得したＳＳＩＤを用いてＡＰ＃２と無線により接続する。また、図３４に示すように、エリア＃３（例えば、エコノミークラス）に位置する端末＃３は、機器＃３からＡＰ＃３のＳＳＩＤの情報を取得し、取得したＳＳＩＤを用いてＡＰ＃３と無線により接続する。
【０４３５】
これにより、適用例１では、サービスのクラスが高いエリアに位置する端末ほど、当該クラスに対応付けられたＡＰとの間でより早い伝送速度による無線通信が可能となる。また、或るサービスのクラスに対応付けられたＡＰは、当該クラスよりも下位のクラスに対応付らけれたＡＰが対応する無線ＬＡＮ方式にも対応するので、サービスのクラスが高いエリアに位置する端末は、高速の無線ＬＡＮ方式に限らず、当該端末が対応する無線ＬＡＮ方式に応じて適切な無線ＬＡＮ方式を選択することができる。
【０４３６】
また、適用例１によれば、機器＃１、機器＃２、機器＃３は、可視光によりＳＳＩＤの情報（変調信号）を送信しているため、このＳＳＩＤの情報を受信することができる端末は、各機器から光信号を受光できる範囲内の端末に限定される。すなわち、サービスクラス毎に区分されたエリアにそれぞれ位置する端末のユーザは、当該エリアに設置された機器（機器＃１、機器＃２、機器＃３の何れか）から光信号を受信し、当該エリアのクラスに応じたサービスの提供を受けることができる。これにより、サービスクラス毎に異なるサービス（ここでは、異なる伝送速度の無線通信サービス）を提供することができる。
【０４３７】
＜適用例２＞
適用例２では、適用例１と同様、図３５に示すように、エリア＃１に、第１の無線ＬＡＮ方式に対応したＡＰ＃１が１つ以上設置され、エリア＃２に、第２の無線ＬＡＮ方式に対応したＡＰ＃２が１つ以上設置され、エリア＃３に、第３の無線ＬＡＮ方式に対応したＡＰ＃３が１つ以上設置されるものとする。つまり、各ＡＰは、当該ＡＰが設置されるエリアで提供されるサービスのクラス毎に対応付けられている。
【０４３８】
なお、ＡＰ＃１が対応する第１の無線ＬＡＮ方式の最大伝送速度は、ＡＰ＃２が対応する第２の無線ＬＡＮ方式の最大伝送速度より速く、ＡＰ＃２が対応する第２の無線ＬＡＮの最大伝送速度は、ＡＰ＃３が対応する第３の無線ＬＡＮ方式の最大伝送速度よりも速いものとする。例えば、適用例２において、第１の無線ＬＡＮ方式では、IEEE 802.11acに対応し、第２の無線ＬＡＮ方式では、IEEE 802.11nに対応し、第３の無線ＬＡＮ方式では、IEEE 802.11a, IEEE 802.11g, IEEE 802.11bに対応してもよい。ただし、第１の無線ＬＡＮ方式の対応規格、第２の無線ＬＡＮ方式の対応規格、第３の無線ＬＡＮ方式の対応規格の例は上記に限ったものではない。
【０４３９】
また、図３５に示すように、エリア＃１には、ＬＥＤなどの可視光、照明、光源、ライトを具備する機器＃１が１つ以上設置され、エリア＃２には、ＬＥＤなどの可視光、照明、光源、ライトを具備する機器＃２が１つ以上設置され、エリア＃３には、ＬＥＤなどの可視光、照明、光源、ライトを具備する機器＃３が１つ以上設置される。例えば、機器＃１、機器＃２、機器＃３は、各座席に設置されている照明、または、モニタ画面などを光源とする機器である。
【０４４０】
適用例２では、エリア＃１に存在する機器＃１は、第１の無線ＬＡＮ方式に対応した１つ以上のＡＰ＃１のＳＳＩＤの情報、機器＃２は、第２の無線ＬＡＮ方式に対応した１つ以上のＡＰ＃２のＳＳＩＤの情報、および、第３の無線ＬＡＮ方式に対応した１つ以上のＡＰ＃３のＳＳＩＤの情報を送信する。
【０４４１】
また、エリア＃２に存在する機器＃２は、第２の無線ＬＡＮ方式に対応した１つ以上のＡＰ＃２のＳＳＩＤの情報、および、第３の無線ＬＡＮ方式に対応した１つ以上のＡＰ＃３のＳＳＩＤの情報を送信する。
【０４４２】
また、エリア＃３に存在する機器＃３は、第３の無線ＬＡＮ方式に対応した１つ以上のＡＰ＃３のＳＳＩＤの情報を送信する。
【０４４３】
各エリアに位置する端末は、機器＃１、機器＃２、機器＃３の何れかの機器から照射される光信号を受光して取得したＡＰのＳＳＩＤの情報に基づいて、取得したＳＳＩＤに対応するＡＰと無線ＬＡＮにより接続する。
【０４４４】
具体的には、図３５に示すように、エリア＃１（例えば、ファーストクラス）に位置する端末＃１は、機器＃１からＡＰ＃１のＳＳＩＤの情報、ＡＰ＃２のＳＳＩＤの情報、および、ＡＰ＃３のＳＳＩＤの情報を取得する。そして、エリア＃１に位置する端末＃１は、取得したＡＰ＃１のＳＳＩＤの情報、ＡＰ＃２のＳＳＩＤの情報、および、ＡＰ＃３のＳＳＩＤの情報のうち少なくとも何れか１つを用いてＡＰと無線接続する。
【０４４５】
同様に、エリア＃２（例えば、ビジネスクラス）に位置する端末＃２は、機器＃２からＡＰ＃２のＳＳＩＤの情報、ＡＰ＃３のＳＳＩＤの情報を取得する。そして、エリア＃２に位置する端末＃２は、取得したＡＰ＃２のＳＳＩＤの情報、および、ＡＰ＃３のＳＳＩＤの情報のうち少なくとも何れか１つを用いてＡＰと無線接続する。
【０４４６】
また、エリア＃３（例えば、エコノミークラス）に位置する端末＃３は、機器＃３からＡＰ＃３のＳＳＩＤの情報を取得する。そして、エリア＃３に位置する端末＃３は、取得したＡＰ＃３のＳＳＩＤを用いてＡＰ＃３と無線接続する。
【０４４７】
つまり、適用例２では、端末は、当該端末が位置するエリアに存在する機器（送信機）から、当該エリアで提供されるサービスのクラスに対応付けられたＡＰのＳＳＩＤ、および、当該クラスよりも下位のクラスに対応付けられたＡＰのＳＳＩＤを含む光信号を受信する。そして、端末は、光信号に含まれるＳＳＩＤに基づいて、接続するＡＰを選択する。
【０４４８】
図３６Ａは、端末がＡＰのＳＳＩＤの情報を取得した場合の端末の表示画面の一例を示す。
【０４４９】
例えば、エリア＃１（例えば、ファーストクラス）に存在する端末は、機器＃１から送信されたＡＰの情報（ＳＳＩＤ）を得ると、図３６Ａに示すように、端末の画面（表示部）に「第１の無線ＬＡＮ方式」、「第２の無線ＬＡＮ方式」、「第３の無線ＬＡＮ方式」の選択画面を表示してもよい。そして、端末のユーザが、「第１の無線ＬＡＮ方式」を選択すると、当該端末は、第１の無線ＬＡＮ方式に対応した１つ以上のＡＰ＃１のＳＳＩＤの情報から、ＳＳＩＤを選択し、無線ＬＡＮによるＡＰ＃１との接続を行う。また、端末のユーザが、「第２の無線ＬＡＮ方式」を選択すると、当該端末は、第２の無線ＬＡＮ方式に対応した１つ以上のＡＰ＃２のＳＳＩＤの情報から、ＳＳＩＤを選択し、無線ＬＡＮによるＡＰ＃２との接続を行う。また、端末のユーザが、「第３の無線ＬＡＮ方式」を選択すると、当該端末は、第３の無線ＬＡＮ方式に対応した１つ以上のＡＰ＃３のＳＳＩＤの情報から、ＳＳＩＤを選択し、無線ＬＡＮによるＡＰ＃３との接続を行う。
【０４５０】
また、例えば、エリア＃２（例えば、ビジネスクラス）に存在する端末は、機器＃２から送信されたＡＰの情報（ＳＳＩＤ）を得ると、図３６Ａに示すように、端末の画面（表示部）に「第２の無線LAN方式」、「第３の無線LAN方式」の選択画面を表示する。そして、端末のユーザが、「第２の無線ＬＡＮ方式」を選択すると、第２の無線ＬＡＮ方式に対応した１つ以上のＡＰ＃２のＳＳＩＤの情報から、ＳＳＩＤを選択し、無線ＬＡＮによるＡＰ＃２との接続を行う。また、端末のユーザが、「第３の無線ＬＡＮ方式」を選択すると、第３の無線ＬＡＮ方式に対応した１つ以上のＡＰ＃３のＳＳＩＤの情報から、ＳＳＩＤを選択し、無線ＬＡＮによるＡＰ＃３との接続を行う。
【０４５１】
また、例えば、エリア＃３（エコノミークラス）に存在する端末は、機器＃３から送信されたＡＰの情報（ＳＳＩＤ）を得ると、図３６Ａに示すように、端末の画面（表示部）に「第３の無線ＬＡＮ方式」の選択画面を表示する。そして、端末のユーザが、「第３の無線ＬＡＮ方式」を選択すると、当該端末は、第３の無線ＬＡＮ方式に対応した１つ以上のＡＰ＃３のＳＳＩＤの情報から、ＳＳＩＤを選択し、無線ＬＡＮによるＡＰ＃３との接続を行う。
【０４５２】
つまり、ユーザは、端末に表示される無線ＬＡＮ方式を選択するという容易な操作によって、端末とＡＰとの無線接続を実施することができる。
【０４５３】
なお、上記説明において、図３６Ａに示すように、端末の画面に、「第１の無線ＬＡＮ方式」、「第２の無線ＬＡＮ方式」、「第３の無線ＬＡＮ方式」と表示される場合について説明したが、実際に「第１の無線ＬＡＮ方式」、「第２の無線ＬＡＮ方式」、「第３の無線ＬＡＮ方式」と表示される必要はなく、第１の無線ＬＡＮ方式に関連する（相当する）表示、第２の無線ＬＡＮ方式に関連する（相当する）表示、第３の無線ＬＡＮ方式に関連する（相当する）表示が行われればよい。
【０４５４】
また、端末の画面表示は、図３６Ａに示す例に限らず、例えば、図３６Ｂに示すように、端末の表示部は、各無線ＬＡＮ方式のＳＳＩＤを表示してもよい。この場合、各ＡＰのＳＳＩＤの選択は、画面上に表示されたＳＳＩＤをユーザが、ＳＳＩＤの入力欄（図示せず）に入力することで実行されてもよい。
【０４５５】
このように、適用例２では、サービスのクラスが高いエリアに位置する端末ほど、当該クラスに対応付けられたＡＰとの間でより早い伝送速度による無線通信が可能となる。また、或るサービスの各クラスのエリアに位置する端末は、当該クラスに対応付けられたＡＰに加え、当該クラスよりも下位のクラスに対応付けられたＡＰにも接続することが可能である。このため、サービスのクラスが高いエリアに位置する端末は、高速の無線ＬＡＮ方式に限らず、当該端末が対応する無線ＬＡＮ方式に応じて適切な無線ＬＡＮ方式（つまり、ＡＰ）を選択することができる。
【０４５６】
また、適用例２によれば、機器＃１、機器＃２、機器＃３は、可視光によりＳＳＩＤの情報（変調信号）を送信しているため、このＳＳＩＤの情報を受信することができる端末は、各機器から光信号を受光できる範囲内の端末に限定される。すなわち、サービスクラス毎に区分されたエリアにそれぞれ位置する端末のユーザは、当該エリアに設置された機器（機器＃１、機器＃２、機器＃３の何れか）から光信号を受信し、当該エリアのクラスに応じたサービスの提供を受けることができる。これにより、サービスクラス毎に異なる無線ＬＡＮサービス（ここでは、異なる伝送速度の無線通信サービス）を提供することができる。
【０４５７】
なお、適用例１、適用例２において、機器＃１、＃２、＃３は、ＳＳＩＤの情報に加えて、各ＡＰへのアクセスのための暗号鍵を送信してもよく、各機器の場所情報を送信してもよい。
【０４５８】
また、適用例１、適用例２において、サービスのクラスに応じて、以下の使用例１，使用例２のような違いがあってもよい。
【０４５９】
以下では、図３７に示すように、航空機内の通信システムは、各エリア＃１、＃２、＃３に設置される機器＃１、＃２、＃３、ＡＰ（基地局）＃１、＃２、＃３、および、各ＡＰがアクセス可能なローカルサーバを備える。ローカルサーバには、例えば、航空機の利用客に対して提供される情報、コンテンツなどが格納されてもよい。
【０４６０】
また、航空機内の通信システムは、衛生回線、地上局を経由してインターネット（つまり、外部のネットワーク）にアクセスするための装置（インターネットサーバ、アンテナ等）を備える。
【０４６１】
＜使用例１＞
使用例１では、端末は、第１の無線ＬＡＮ方式によってＡＰ＃１と接続した場合、航空機内のローカルサーバへのアクセス、および、衛星回線を経由してインターネットへのアクセスが可能となる。
【０４６２】
また、端末は、第２の無線ＬＡＮ方式によってＡＰ＃２と接続した場合、航空機内のローカルサーバへのアクセス、および、衛星回線を経由してインターネットへのアクセスが可能となる。
【０４６３】
また、端末は、第３の無線ＬＡＮ方式によってＡＰ＃３と接続した場合、航空機内のローカルサーバへのアクセスが可能となる一方、衛星回線を経由したインターネットへのアクセスができない。
【０４６４】
＜使用例２＞
使用例２では、端末は、第１の無線ＬＡＮ方式によってＡＰ＃１と接続した場合、航空機内のローカルサーバへのアクセス、および、衛星回線を経由してインターネットへのアクセスが可能となる。
【０４６５】
また、端末は、第２の無線ＬＡＮ方式によってＡＰ＃２と接続した場合、航空機内のローカルサーバへのアクセスが可能となる一方、衛星回線を経由したインターネットへのアクセスができない。
【０４６６】
また、端末は、第３の無線ＬＡＮ方式によってＡＰ＃３と接続した場合、航空機内のローカルサーバへのアクセスが可能となる一方、衛星回線を経由したインターネットへのアクセスができない。
【０４６７】
つまり、各エリアで提供されるサービスのクラス毎に対応付けられたＡＰの何れに端末が接続するかに応じて、端末がアクセス可能となるネットワークの範囲が異なる。具体的には、端末が無線接続したＡＰに対応付けられたサービスのクラスが高いほど、当該端末がアクセス可能なネットワークの範囲はより広くなる。このように、端末の接続先のＡＰに応じて、当該端末がアクセス可能な範囲（航空機内のローカルサーバまたはインターネット）を異ならせることで、ユーザに対して、サービスクラス毎に異なる通信サービスを提供することができる。
【０４６８】
次に、端末のＡＰへのアクセスの手順の一例について説明する。
【０４６９】
＜アクセス手順１＞
（１）端末は、機器＃１、機器＃２、機器＃３の何れか１つの機器からＡＰのＳＳＩＤの情報（および、暗号鍵）を得て、得た情報に基づいて無線ＬＡＮによるＡＰとの接続を試みる。
【０４７０】
（２−１）ＡＰと接続できた場合、端末は、接続できたＡＰと通信を行う。
【０４７１】
（２−２）ＡＰと接続できない場合、端末は、別のＡＰのＳＳＩＤの情報（および、暗号鍵）を得て、得た情報に基づいて無線ＬＡＮによるＡＰとの接続を試みる。なお、別のＡＰは、端末が接続できないＡＰと同一エリア内に設置された（つまり、同一クラスに対応付けられた）ＡＰである。この際、ＳＳＩＤの情報を含む光信号を照射する機器は、例えば、同一クラスに対応付らけれた複数のＡＰのＳＳＩＤ（および、暗号鍵）を、規則的に順に送信してもよく、不規則に送信してもよい。
【０４７２】
（３−１）ＡＰと接続できた場合、端末は、接続できたＡＰと通信を行う。
【０４７３】
（３−２）ＡＰと接続できない場合、端末は、手順（２−２）と同様の動作を行う。
【０４７４】
＜アクセス手順２＞
端末は、変調信号を送信しているＡＰのＳＳＩＤを予め認識している（ただし、複数のＳＳＩＤであってもよい）。
【０４７５】
その後、端末は、機器＃１、機器＃２、機器＃３の何れか１つの機器からＡＰのＳＳＩＤの情報（および、暗号鍵）を得る。
【０４７６】
端末は、このとき得たＳＳＩＤと認識しているＳＳＩＤとが一致している場合、このＳＳＩＤに対応するＡＰと無線ＬＡＮによる接続を行う。
【０４７７】
一方、端末は、このとき得たＳＳＩＤと認識しているＳＳＩＤとが一致しない場合、別の機器からＡＰのＳＳＩＤの情報（および、暗号鍵）を得る。なお、別のＡＰは、端末が接続できないＡＰと同一エリア内に設置された（つまり、同一クラスに対応付けられた）ＡＰである。この際、ＳＳＩＤの情報を含む光信号を照射する機器は、例えば、同一クラスに対応付けられた複数のＡＰのＳＳＩＤ（および、暗号鍵）を、規則的に順に送信してもよく、不規則に送信してもよい。
【０４７８】
以上、端末のＡＰへのアクセス手順について説明した。
【０４７９】
また、端末とＡＰとの接続が完了すると、端末では、例えば、ウェブブラウザを起動した際に認証が行われる。例えば、ユーザが座席番号、名前、パスワードなどを入力することで、端末はデータ通信を行うことが可能になる。
【０４８０】
以上のように、端末は、機器が送信（照射）した光信号に含まれるＳＳＩＤ（および、暗号鍵）の情報に基づいて、サービスクラス毎に区分されたエリアにそれぞれ設置されたＡＰと接続し、情報を取得することで、安全性の保証されたＡＰを介して情報を安全に入手することができる。
【０４８１】
なお、ユーザが上述した航空機内の通信システムを利用する際、ユーザは、可視光通信を行うためのアプリケーションを端末に予めダウンロードしておく必要がある。
【０４８２】
また、光通信を行うためのアプリケーションをダウンロードしていない端末のための対策として、例えば、サービスクラス毎の接続先であるＡＰのＳＳＩＤ（および暗号鍵）の情報を表示する機器を備えてもよい。この機器は、例えば、航空機の乗務員が携帯し、光通信を行うためのアプリケーションをダウンロードしていない端末のユーザに対して、当該ユーザのサービスクラスに応じたＡＰのＳＳＩＤ（および暗号鍵）を表示すればよい。
【０４８３】
以上、本開示の各実施の形態について説明した。
【０４８４】
なお、可視光通信を行う通信システムの一例として、図５の構成について説明したが、可視光通信を行う通信システムの構成は、図５に示す構成に限らない。例えば、図３８に示すような構成でもよい（例えば、"IEEE 802.11-16/1499r1"を参照）。図３８では、送信信号は、アップコンバートされずにベースバンド帯において光信号として送信される。すなわち、本実施の形態の光信号を送信する機器（つまり、光源を具備する機器）が図３８に示す送信側の構成を具備し、本実施の形態の光信号を受光する端末が図３８に示す受信側の構成を具備してもよい。
【０４８５】
当然であるが、本明細書において説明した実施の形態、その他の内容を複数組み合わせて、実施してもよい。
【０４８６】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０４８７】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよく、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０４８８】
本明細書で説明した無線装置を具備しているのは、例えば、放送局、基地局、アクセスポイント、端末、携帯電話（mobile phone）等の通信・放送機器、テレビ、ラジオ、端末、パーソナルコンピュータ、携帯電話、アクセスポイント、基地局等の通信機器であることが考えられる。また、本明細書で説明した無線装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０４８９】
また、本明細書で説明した受信部を具備しているのは、例えば、放送局、基地局、アクセスポイント、端末、携帯電話（mobile phone）等の通信・放送機器、テレビ、ラジオ、端末、パーソナルコンピュータ、携帯電話、アクセスポイント、基地局等の通信機器であることが考えられる。
【０４９０】
本実施の形態における電波による無線通信では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、シンボルそれぞれの役割が重要となっている。
【０４９１】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Channel State Information）の推定）、信号の検出等を行うことになる。
【０４９２】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤでの設定情報等）を伝送するためのシンボルである。
【０４９３】
なお、本開示は各実施の形態に限定されず、種々変更して実施することが可能である。例えば、各実施の形態では、通信装置として行う場合について説明しているが、これに限られるものではなく、この通信方法をソフトウェア、ハードウェア、又は、ハードウェアと連携したソフトウェアで実現することが可能である。
【０４９４】
なお、例えば、上記通信方法を実行するプログラムを予めＲＯＭ（Read Only Memory）に格納しておき、そのプログラムをＣＰＵ（Central Processor Unit）によって動作させるようにしても良い。
【０４９５】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０４９６】
そして、上記の各実施の形態の説明に用いた各機能ブロックは、部分的に又は全体的に、集積回路であるＬＳＩ（Large Scale Integration）として実現され、上記の各実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力とを備えてもよい。ＬＳＩは、集積度の違いにより、ＩＣ（Integrated Circuit）、システムＬＳＩ、スーパーＬＳＩ、ウルトラＬＳＩと呼称されることもある。集積回路化の手法はＬＳＩに限られるものではなく、専用回路、汎用プロセッサ又は専用プロセッサで実現しても良い。また、ＬＳＩ製造後に、プログラムすることが可能なＦＰＧＡ（Field Programmable Gate Array）またはＬＳＩ内部の回路セルの接続や設定を再構成可能なリコンフィギュラブル・プロセッサを利用してもよい。本開示は、デジタル処理又はアナログ処理として実現されてもよい。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０４９７】
（補足１）
図３８の送信装置と受信装置の通信方法についての説明を行う。図３８の上段のシンボルマッピング部（Ｓｙｍ．Ｍａｐ）からＬＥＤまでが、送信装置を構成する。また、図３８の下段のフォトダイオード部（Ｐｈｏｔｏ−Ｄｉｏｄｅ）からシンボルデマッピング部（Ｓｙｍ．ＤＥ−Ｍａｐ）までが、受信装置を構成する。
【０４９８】
まず、図３８上段の送信装置の構成を説明する。この送信装置は、シンボルマッパー（Ｓｙｍ．Ｍａｐ）、等化前処理部（Ｐｒｅ−ｅｑｕａｌｉｚｅｒ）、エルミート対称性処理部（Ｈｅｒｍｉｔｉａｎ  Ｓｙｍｍｅｔｒｙ）、逆（高速）フーリエ変換部（ＩＦＦＴ）、パラレルシリアル、および、サイクリックプレフィックス付加部（Ｐ／Ｓ＆ＣＰ＋）、デジタルアナログ変換部（ＤＡＣ）、光源（ＬＥＤｓ）を有する。
【０４９９】
シンボルマッパー（Ｓｙｍ．Ｍａｐ）は、送信データ（ｂｉ）を入力とし、変調方式に基づいたマッピングを行うことにより、シンボル系列（ｃｉ）を出力する。等化前処理部（Ｐｒｅ−ｅｑｕａｌｉｚｅｒ）は、シンボル系列（ｃｉ）を入力とし、受信側での等化処理を軽減するために、シンボル系列（ｃｉ）に対し、等化前処理を行い、等化前処理後のシンボル系列を出力する。エルミート対称性処理部（Ｈｅｒｍｉｔｉａｎ  Ｓｙｍｍｅｔｒｙ）は、等化前処理後のシンボル系列を入力とし、エルミート対称性が確保できるように、等化前処理後のシンボル系列に対し，サブキャリア割り当てを行い、パラレル信号を出力する。
【０５００】
逆（高速）フーリエ変換部（ＩＦＦＴ）は、パラレル信号を入力とし、パラレル信号に対し、逆（高速）フーリエ変換を施し、逆（高速）フーリエ変換後の信号を出力する。パラレルシリアル、および、サイクリックプレフィックス付加部（Ｐ／Ｓ＆ＣＰ＋）は、逆（高速）フーリエ変換後の信号を入力とし、パラレルシリアル変換、および、サイクリックプレフィックスの付加を行い、信号処理後の信号として出力する。
【０５０１】
デジタルアナログ変換部（ＤＡＣ）は、信号処理後の信号を入力とし、デジタルアナログ変換を行い、アナログ信号を出力する。アナログ信号は、１つ以上の光源、例えばＬＥＤから、光変調信号として出力される。
【０５０２】
なお、図３８上段の送信装置は、等化前処理部、エルミート対称性処理部を有しているが、送信装置は、等化前処理部およびエルミート対称性処理部を有さない構成であってもよい。つまり、可視光通信を行う送信装置において、等化前処理部、エルミート対称性処理部での信号処理は、行わない場合もあり得る。
【０５０３】
続いて、図３８下段の受信装置の構成を説明する。この受信装置は、フォトダイオード（Ｐｈｏｔｏｄｉｏｄｅ）、ＴＩＡ（Ｔｒａｎｓｉｍｐｅｄａｎｃｅ  Ａｍｐｌｉｆｉｅｒ）、アナログデジタル変換部（ＡＤＣ）、サイクリックプレフィックス除去、および、シリアルパラレル変換部（ＣＰ−＆Ｓ／Ｐ）、（高速）フーリエ変換部（ＦＦＴ）、検波部（Ｄｅｔｅｃｔｉｏｎ）、シンボルデマッパー（Ｓｙｍ．ＤＥ−Ｍａｐ）を有する。
【０５０４】
フォトダイオード（Ｐｈｏｔｏｄｉｏｄｅ）は、光変調信号を入力とし、光／電流変換により、光信号を電流信号に変換する。そして、ＴＩＡ（Ｔｒａｎｓｉｍｐｅｄａｎｃｅ  Ａｍｐｌｉｆｉｅｒ）は、フォトダイオード（Ｐｈｏｔｏｄｉｏｄｅ）から出力された電流信号をインピーダンス変換および増幅することにより、電圧信号を得る。アナログデジタル変換部（ＡＤＣ）は、電圧信号に対し、アナログデジタル変換を行い、デジタル信号を出力する。
【０５０５】
サイクリックプレフィックス除去、および、シリアルパラレル変換部（ＣＰ−＆Ｓ／Ｐ）は、デジタル信号を入力とし、サイクリックプレフィックス除去を行い、その後、シリアルパラレル変換を行い、パラレル信号を出力する。（高速）フーリエ変換部（ＦＦＴ）は、パラレル信号を入力とし、（高速）フーリエ変換を行い、（高速）フーリエ変換後の信号を出力する。
【０５０６】
検波部（Ｄｅｔｅｃｔｉｏｎ）は、フーリエ変換後の信号を入力とし、検波を行い、受信シンボル系列を出力する。シンボルデマッパー（Ｓｙｍ．ＤＥ−Ｍａｐ）は、受信シンボル系列を入力とし、デマッピングを行い、受信データ系列を得る。
【０５０７】
以上のように図３８を用いて例示的に説明した光変調信号を送信する送信装置、および、光変調信号を受信する受信装置を用いても、本明細書における各実施の形態を同様に実施することができる。
【０５０８】
（補足２）
本開示においては、端末は、無線ＬＡＮの基地局またはアクセスポイントと無線を用いて接続したが、端末と接続する装置は、無線を用いて接続可能な装置であれば、無線ＬＡＮの基地局またはアクセスポイントに限らず、どのような装置であってもよい。例えば、その装置は、携帯電話（mobile phone）等の基地局、または、中継局であってもよい。また、本開示では、変調信号にＳＳＩＤの情報が含まれている例を説明したが、ＳＳＩＤは一例であって、これに限定されない。つまり、変調信号に含まれる識別情報は、端末が接続する安全な基地局を識別し得る情報であれば、ＳＳＩＤに限らず、どのような情報であってもよい。
【０５０９】
また、本開示において説明した通信方法を実現するために必要なソフトウェアの全部あるいは一部を、ＦＰＧＡ（Field Programmable Gate Array）およびＣＰＵ（Central Processing Unit）の少なくとも一方が、無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵ少なくとも一方を動作させることにより、本開示において説明したデジタル信号処理を実行するようにしてもよい。
【０５１０】
このとき、ＦＰＧＡおよびＣＰＵの少なくとも一方を具備する機器は、通信モデムと無線または有線で接続し、この機器と通信モデムにより、本開示において説明した通信方法を実現してもよい。例えば、本明細書で記載した基地局、ＡＰ、端末などの通信装置が、ＦＰＧＡ、および、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【０５１１】
また、受信装置に関連する処理に関するアプリケーションをサーバが提供し、端末は、このアプリケーションをインストールすることで、本明細書で記載した受信装置の機能を実現してもよい。なお、受信処理に関するアプリケーションは、本明細書に記載した送信装置を具備する通信装置がネットワークを介しサーバと接続することによって、端末に提供されてもよい。あるいは、受信処理に関するアプリケーションは、別の送信機能を有する通信装置が、ネットワークを介してサーバと接続することによって、端末に提供されてもよい。
【０５１２】
同様に、送信装置に関連する処理に関するアプリケーションをサーバが提供し、通信装置は、このアプリケーションをインストールすることで、本明細書で記載した送信装置の機能を実現してもよい。なお、送信処理に関するアプリケーションは、他の通信装置がネットワークを介してサーバと接続することによって、この通信装置に提供されるという方法が考えられるが、この方法に限られない。
【０５１３】
また、送信装置が具備している光源に関するソフトウェア、および、受信装置が具備している受光部に関するソフトウェアをサーバが提供してもよい。送信装置および受信装置がそれぞれ必要なソフトウェアを得ることで、送信装置が具備している光源が光変調信号の送信に対応でき、受信装置が具備している受光部が光変調信号の受信に対応できるようになる。
【０５１４】
さらに、本明細書における送信装置が、サーバの機能を有していてもよい。この場合、送信装置が具備するアプリケーションを、何らかの通信手段を用いて、他の通信装置に提供することができる。通信装置は、送信装置から直接あるいは間接的にダウンロードすることにより得たアプリケーションにより、本明細書における受信装置を実現することができてもよい。
【０５１５】
また、本開示における「照明部」および「光源」は、画像、動画、広告などを表示するディスプレイ、プロジェクタのように光を発するものであればよく、発する光に光変調信号が含まれていればよい。つまり、本開示における「照明部」および「光源」は、光を発する以外に、音声、画像、動画、あるいは光以外の信号等を出力する構成を有していてもよい。また、「照明部」および「光源」が、複数の「照明」あるいは「光源」により構成されていてもよい。
【０５１６】
さらに、光変調信号を生成し、光変調信号を発する通信装置が用いる送信方法は、本明細書で記載された送信方法以外の方法であってもよい。また、光変調信号は、本明細書で説明した以外の情報が含まれていてもよい。
【０５１７】
そして、ＬＥＤなどの照明・光源自身が、本明細書で説明した送信装置の機能を有していてもよい。あるいは、送信用の光変調信号を生成する装置自身は、照明または光源を具備しておらず、何らかのインターフェースを介して、照明または光源と接続されてもよい。
【０５１８】
本明細書で説明した送信装置と受信装置の通信方法は、上述の例に限ったものではなく、光・可視光・赤外線・紫外線など、どのような周波数を用いた無線通信方式であっても同様に実施することは可能である。また、上述の説明では、イメージセンサにより、光変調信号を受信する場合を例に説明したが、イメージセンサのかわりにフォトダイオードを使用し、光変調信号を受信してもよい。また、イメージセンサ、フォトダイオード以外のものを使用して、光変調信号を受信してもよい。
【０５１９】
また、本明細書において、「場所、または、位置情報に関するシンボル」、「時刻情報に関するシンボル」、「ＳＳＩＤに関するシンボル」、「アクセス先に関するシンボル」、「暗号鍵に関するシンボル」などを「シンボル」と名づけて説明をしている場合がある。しかし、これらを「シンボル」と呼ばずに、「データ」、「情報」、「フィールド」、「ビット」あるいは「領域」と呼んでも、各実施の形態を同様に実施することが可能である。また、「シンボル」、「データ」、「情報」、「フィールド」、「ビット」、「領域」以外の呼び方をしてもよい。また、送信装置は、「場所、または、位置情報に関するシンボル」、「時刻情報に関するシンボル」、「ＳＳＩＤに関するシンボル」、「アクセス先に関するシンボル」、「暗号鍵に関するシンボル」などを、どのようなシンボル構成で送信してもよい。つまり、「場所、または、位置情報に関するデータ」、「時刻情報に関するデータ」、「ＳＳＩＤに関するデータ」、「アクセス先に関するデータ」、「暗号鍵に関するデータ」などを通信相手に伝送することができれば、どのような構成で送信してもよい。
【０５２０】
繰り返しになるが、本明細書において、「光源」、「照明部」などを具備する送信装置において、「光源」、「照明部」は複数の「光源」、複数の「照明」で構成されていてもよい。
【０５２１】
また、本明細書において、端末が基地局に無線で接続するための暗号鍵について説明したが、暗号鍵は「無線接続のための暗号鍵」に限ったものではない。例えば、基地局は、ネットワークに接続されており、端末は、基地局を介して、このネットワークと通信を行うものとする。このとき、暗号鍵は、「端末が、このネットワークに接続するための暗号鍵」であってもよい。したがって、本明細書で説明した光変調信号に「暗号鍵」の情報が含まれており、これにより、本明細書で説明した各実施の形態を実施しても、同様に実施することができ、これにより、各実施の形態で説明した効果を同様に得ることができる。
【０５２２】
また、光変調信号に、「基地局と接続するための暗号鍵（例えば、ＳＳＩＤに対する暗号鍵）」、「ネットワークに接続するための暗号鍵」の少なくとも一つの暗号鍵を含んでいてもよい。
【０５２３】
本開示の端末は、送信機から照射され、少なくとも１つの基地局の識別子を含む光信号を受光する受光機と、受光した光信号に含まれる少なくとも１つの基地局の識別子に基づいて、１つの基地局を選択するデータ解析回路と、選択された基地局の識別子を用いて当該基地局と無線接続し、無線により通信を行う無線装置と、を具備する。
【０５２４】
本開示の端末において、基地局はサービスのクラス毎に対応付けられ、クラスが高いほど、当該クラスに対応付けられた基地局は最大伝送速度がより速い無線通信方式に対応し、受光機は、第１のクラスのエリアに存在する送信機から、第１のクラスに対応付けられた第１の基地局の識別子を含む光信号を受光し、無線装置は、光信号に含まれる識別子を用いて第１の基地局と無線接続し、第１の基地局が対応する第１の無線通信方式は、第１のクラスよりも下位の第２のクラスに対応付けられた第２の基地局が対応する第２の無線通信方式を含む。
【０５２５】
本開示の端末において、基地局はサービスのクラス毎に対応付けられ、クラスが高いほど、当該クラスに対応付けられた基地局は最大伝送速度がより速い無線通信方式に対応し、受光機は、第１のクラスのエリアに存在する送信機から、第１のクラスに対応付けられた第１の基地局の第１の識別子、および、第１のクラスよりも下位の第２のクラスに対応付けられた第２の基地局の第２の識別子を含む光信号を受光し、無線装置は、光信号に含まれる第１の識別子および第２の識別子のうち何れか１つを用いて基地局と無線接続する。
【０５２６】
本開示の端末において、光信号に含まれる第１の識別子および第２の識別子を表示する表示回路、をさらに具備する。
【０５２７】
本開示の端末において、光信号に含まれる第１の識別子および第２の識別子を有する第１の基地局および第２の基地局が対応する無線通信方式をそれぞれ表示する表示回路、をさらに具備する。
【０５２８】
本開示の端末において、基地局はサービスのクラス毎に対応付けられ、端末が無線接続した基地局に対応付けられたクラスが高いほど、端末がアクセス可能なネットワークの範囲がより広い。
【０５２９】
本開示の端末において、送信機及び基地局は航空機内に設置され、第１のクラスに対応付けられた第１の基地局と無線接続する端末は、航空機内のネットワーク、および、航空機の外部のネットワークにアクセス可能であり、第１のクラスよりも下位の第２のクラスに対応付けられた第２の基地局と無線接続する端末は、航空機内のネットワークにアクセス可能であり、外部のネットワークにアクセスできない。
【０５３０】
本開示の通信方法は、送信機から照射され、少なくとも１つの基地局の識別子を含む光信号を受光し、受光した光信号に含まれる少なくとも１つの基地局の識別子に基づいて、１つの基地局を選択し、選択された基地局の識別子を用いて当該基地局と無線接続し、無線により通信を行う。
【産業上の利用可能性】
【０５３１】
本開示の一態様は、可視光通信システムに有用である。
【符号の説明】
【０５３２】
１００，４００，１０００，１４００Ａ，１４００Ｂ  機器
１０２，１４０４−１、１４０４−２  送信部
１０４，１４０６−１，１４０６−２  光源
１５０，４５０，１０５０  端末
１５１  受光部
１５３  受信部
１５５  データ解析部
１５７  表示部
４５３，２００２  無線装置
４７０，２０００  基地局
２００１  送信装置
【図１】
2018110274.tif 000003
【図２】
2018110274.tif 000004
【図３】
2018110274.tif 000005
【図４Ａ】
2018110274.tif 000006
【図４Ｂ】
2018110274.tif 000007
【図５】
2018110274.tif 000008
【図６】
2018110274.tif 000009
【図７】
2018110274.tif 000010
【図８】
2018110274.tif 000011
【図９】
2018110274.tif 000012
【図１０】
2018110274.tif 000013
【図１１】
2018110274.tif 000014
【図１２】
2018110274.tif 000015
【図１３】
2018110274.tif 000016
【図１４】
2018110274.tif 000017
【図１５】
2018110274.tif 000018
【図１６】
2018110274.tif 000019
【図１７】
2018110274.tif 000020
【図１８】
2018110274.tif 000021
【図１９】
2018110274.tif 000022
【図２０】
2018110274.tif 000023
【図２１】
2018110274.tif 000024
【図２２】
2018110274.tif 000025
【図２３】
2018110274.tif 000026
【図２４】
2018110274.tif 000027
【図２５】
2018110274.tif 000028
【図２６】
2018110274.tif 000029
【図２７】
2018110274.tif 000030
【図２８】
2018110274.tif 000031
【図２９】
2018110274.tif 000032
【図３０】
2018110274.tif 000033
【図３１】
2018110274.tif 000034
【図３２】
2018110274.tif 000035
【図３３】
2018110274.tif 000036
【図３４】
2018110274.tif 000037
【図３５】
2018110274.tif 000038
【図３６Ａ】
2018110274.tif 000039
【図３６Ｂ】
2018110274.tif 000040
【図３７】
2018110274.tif 000041
【図３８】
2018110274.tif 000042
【国際調査報告】
2018110274.tif 000043
2018110274.tif 000044
2018110274.tif 000045
2018110274.tif 000046